(57)【特許請求の範囲】
【請求項１】
決済装置で行われる決済にともなって受け付けた貨幣を収納し釣銭として貨幣を払い出す釣銭装置と、
決済装置の識別情報、及び、前記釣銭装置に補充すべき貨幣の数量に係る情報を含む補充要求情報を出力する出力手段と、
前記出力手段から出力された前記補充要求情報を取得する情報取得手段と、
貨幣運搬具に付加された情報保持手段に保持された決済装置の識別情報を読み取る読取手段と、
前記情報取得手段により取得された前記補充要求情報に含まれる決済装置の識別情報と、前記読取手段により読み取られた決済装置の識別情報とが一致することを条件として、前記情報取得手段により取得された前記補充要求情報に基づいて貨幣の払出を行う貨幣払出装置と、
前記情報取得手段により取得された前記補充要求情報に含まれる決済装置の識別情報と、前記読取手段により読み取られた決済装置の識別情報とが一致しなかった場合に、その旨のメッセージを表示する表示部と
を備えたことを特徴とする貨幣管理システム。
【請求項２】
前記出力手段は、
前記補充要求情報を２次元コードとして印刷した釣銭準備金依頼レシートを発行し、
前記情報取得手段は、
前記釣銭準備金依頼レシートの２次元コードを読み取って前記補充要求情報を取得する
ことを特徴とする請求項１に記載の貨幣管理システム。
【請求項３】
決済装置で行われる決済にともなって受け付けた貨幣を収納し釣銭として貨幣を払い出す釣銭装置に対し、釣銭準備金として収納させる貨幣の払出を行う貨幣払出装置と、
決済装置の識別情報、及び、前記貨幣払出装置により払い出された貨幣に係る情報を含む貨幣払出情報を出力する貨幣払出情報出力手段と、
前記貨幣払出情報出力手段から出力された貨幣払出情報に含まれる決済装置の識別情報と、貨幣運搬具に付加された情報保持手段に保持された決済装置の識別情報と、自装置である決済装置の識別情報とが一致することを条件として、前記釣銭装置に対する前記貨幣運搬具内の貨幣の補充を許容する許容手段と、
前記貨幣払出情報出力手段から出力された貨幣払出情報に含まれる決済装置の識別情報と、前記貨幣運搬具に付加された情報保持手段に保持された決済装置の識別情報と、自装置である決済装置の識別情報とが一致しなかった場合に、その旨のメッセージを表示する表示部と
を備えたことを特徴とする貨幣管理システム。
【発明の詳細な説明】
【技術分野】
【０００１】
この発明は、百貨店及びスーパーマーケットなどの商業施設において、貨幣払出装置から貨幣を釣銭準備金として払い出し、払い出した釣銭準備金を商品代金の決済を行う決済装置に接続される釣銭を払い出す釣銭装置に補充する貨幣管理システムに関する。
【背景技術】
【０００２】
従来、商業施設において商品代金の決済を行う場合には、顧客から商品代金を超える貨幣を受け付けたときには商品代金と受け付けた貨幣額との差額を釣銭として払出を行っている。このため、営業開始前には商品代金の決済を行う決済装置（以下、「レジ」と言う）に釣銭として払い出すための貨幣（以下、「釣銭準備金」という）を収納しておく必要がある。また、営業時間中にレジに収納されている貨幣が減少して釣銭の払出に支障をきたすおそれが出てきた時には、レジに対して釣銭準備金の補充を行う必要があった。このため、営業開始前又は営業中に、バックオフィスに設置される貨幣処理装置からレジに対して適切な数量の貨幣を釣銭準備金として払い出すという技術が知られている。
【０００３】
例えば、特許文献１には、レジごとの釣銭準備金として払い出す金種別の貨幣の数量であるレジ別釣銭準備金数量を有し、レジカードからレジの識別情報を読み取って釣銭準備金の払出対象のレジを特定し、特定されたレジに対するレジ別釣銭準備金数量に基づいて当該レジに対する釣銭準備金を払い出すという技術が開示されている。かかる技術を用いた貨幣処理装置では、レジが設置される売場の特性などに応じて払い出す釣銭準備金の数量を適切に設定することによって、レジに応じた適切な釣銭準備金の払出を効率的に行うことができる。
【先行技術文献】
【特許文献】
【０００４】
【特許文献１】特許第５１９８５５４号
【発明の概要】
【発明が解決しようとする課題】
【０００５】
しかしながら、営業時間中などに釣銭を補充しなければならないレジが複数存在する場合に、１人の担当者がまとめて複数のレジに対する釣銭準備金を貨幣払出装置から払い出して、払い出された複数のレジに対する釣銭準備金をそれぞれのレジに届けるという作業を行うとすると、本来の届け先と異なる別のレジに届けてしまうという誤りが発生する可能性があった。このように届け先のレジを誤ると、釣銭を補充する必要のないレジへ無駄な釣銭の補充が行われてしまったり、釣銭を補充する必要のあるレジへ釣銭が補充されなかったり、別のレジ宛の釣銭準備金を補充してしまうことによって適切な数量の補充とならないという問題がある。また、釣銭準備金の届け先を誤った場合には、貨幣処理装置で払い出された釣銭準備金と払い出し先のレジとを関連付けて管理している場合には、釣銭準備金を誤ったレジに補充してしまうことによって管理情報と実態が不整合となってしまい、不整合の原因調査及び補正作業などの事後処理に大変な手間がかかってしまうという
問題もある。
【０００６】
また、かかる特許文献１によると、釣銭準備金として払い出される金種別の数量はレジ別釣銭準備金数量に設定されている固定値であることから、レジの実際の在高などの状況に応じた適切な釣銭準備金の補充になるとは限らないという問題もあった。本来であれば、釣銭準備金として払い出される金種別の貨幣の数量は、レジごとの釣銭準備金の適正値である基準数量から、レジごとに実際に収納されている貨幣の実数量を差し引いた数とすべきである。しかし、そのためには少なくともレジごとに実際に収納されている金種別の貨幣の実数量を入力する必要があり、人手によってこの入力を行うとすると手間がかかるという問題だけではなく金種や枚数の入力操作において入力ミスを起こす可能性があるという問題もある。
【０００７】
このように、貨幣処理装置からレジの状況に応じた適切な金種別の貨幣の数量の釣銭準備金を払い出して、払い出した釣銭準備金を対応するレジに適正に補充できるようにすることが重要な課題となっている。
【０００８】
本発明は、上述した従来技術の課題を解決するためのものであって、貨幣処理装置から決済装置の状況に応じて金種ごとに適切な数量の釣銭準備金を払い出して、払い出した釣銭準備金を対応する適正な決済装置に補充することができる貨幣管理システムを提供することを目的とする。
【課題を解決するための手段】
【０００９】
上述した課題を解決し、目的を達成するため、本発明は、決済装置で行われる決済にともなって受け付けた貨幣を収納し釣銭として貨幣を払い出す釣銭装置と、決済装置の識別情報、及び、前記釣銭装置に補充すべき貨幣の数量に係る情報を含む補充要求情報を出力する出力手段と、前記出力手段から出力された前記補充要求情報を取得する情報取得手段と、貨幣運搬具に付加された情報保持手段に保持された決済装置の識別情報を読み取る読取手段と、前記情報取得手段により取得された前記補充要求情報に含まれる決済装置の識別情報と、前記読取手段により読み取られた決済装置の識別情報とが一致することを条件として、前記情報取得手段により取得された前記補充要求情報に基づいて貨幣の払出を行う貨幣払出装置と、前記情報取得手段により取得された前記補充要求情報に含まれる決済装置の識別情報と、前記読取手段により読み取られた決済装置の識別情報とが一致しなかった場合に、その旨のメッセージを表示する表示部とを備えたことを特徴とする。
【００１０】
また、本発明は、上記発明において、前記出力手段は、前記補充要求情報を２次元コードとして印刷した釣銭準備金依頼レシートを発行し、前記情報取得手段は、前記釣銭準備金依頼レシートの２次元コードを読み取って前記補充要求情報を取得することを特徴とする。
【００１１】
また、本発明は、決済装置で行われる決済にともなって受け付けた貨幣を収納し釣銭として貨幣を払い出す釣銭装置に対し、釣銭準備金として収納させる貨幣の払出を行う貨幣払出装置と、決済装置の識別情報、及び、前記貨幣払出装置により払い出された貨幣に係る情報を含む貨幣払出情報を出力する貨幣払出情報出力手段と、前記貨幣払出情報出力手段から出力された貨幣払出情報に含まれる決済装置の識別情報と、貨幣運搬具に付加された情報保持手段に保持された決済装置の識別情報と、自装置である決済装置の識別情報とが一致することを条件として、前記釣銭装置に対する前記貨幣運搬具内の貨幣の補充を許容する許容手段と、前記貨幣払出情報出力手段から出力された貨幣払出情報に含まれる決済装置の識別情報と、前記貨幣運搬具に付加された情報保持手段に保持された決済装置の識別情報と、自装置である決済装置の識別情報とが一致しなかった場合に、その旨のメッセージを表示する表示部とを備えたことを特徴とする。
【発明の効果】
【００１３】
本発明によれば、貨幣処理装置から決済装置の状況に応じて金種ごとに適切な数量の釣銭準備金を払い出して、払い出した釣銭準備金を対応する適正な決済装置に補充することができる。
【図面の簡単な説明】
【００１４】
【図１】図１は、商品代金の決済を行うＰＯＳレジスタが発行した釣銭準備金依頼レシートに基づいて両替機から払い出された釣銭準備金をＰＯＳレジスタに付設される釣銭機に補充する実施例１に係る処理の概要を説明するための説明図である。
【図２】図２は、貨幣管理システムのシステム構成を示す図である。
【図３】図３は、図２に示したＰＯＳレジスタ、硬貨釣銭機、紙幣釣銭機、棒金収納機及び両替機から払い出された釣銭準備金を入れる現金バッグの外観構成を示す図である。
【図４】図４は、図２に示したＰＯＳレジスタ、硬貨釣銭機、紙幣釣銭機及び棒金収納機の実施例１に係る装置内部の物理構成を示す図である。
【図５】図５は、図２に示したＰＯＳレジスタ、硬貨釣銭機、紙幣釣銭機及び棒金収納機の実施例１に係る機能的な内部構成を示すブロック図である。
【図６】図６は、図５に示した硬貨釣銭機及び紙幣釣銭機の実施例１に係るデータ構成について説明するための図である。
【図７】図７は、図５に示したＰＯＳレジスタの実施例１に係るデータ構成について説明するための図である。
【図８】図８は、図２に示した管理サーバの実施例１に係る機能的な内部構成を示すブロック図である。
【図９】図９は、図８に示した管理サーバの実施例１に係るデータ構成について説明するための図である。
【図１０】図１０は、図２に示した管理端末で表示可能な店舗内のＰＯＳレジスタの状況照会画面の画面構成を示す図である。
【図１１】図１１は、図２に示した両替機の外観構成を示す図である。
【図１２】図１２は、図２に示した両替機の実施例１に係る機能的な内部構成を示すブロック図である。
【図１３】図１３は、図２に示したＰＯＳレジスタ及び両替機で発行される釣銭補充に係るレシートの印刷内容を説明するための図である。
【図１４】図１４は、図２に示したＰＯＳレジスタにおける釣銭準備金依頼レシートの発行処理の処理手順を示すフローチャートである。
【図１５】図１５は、ＰＯＳレジスタで発行された釣銭準備金依頼レシートを用いて両替機で釣銭準備金の払出処理の処理手順を示すフローチャートである。
【図１６】図１６は、図２に示したＰＯＳレジスタにおける釣銭準備金の補充処理の処理手順を示すフローチャートである。
【図１７】図１７は、ＰＯＳレジスタが管理サーバに送信した釣銭準備金払出要求に基づいて両替機から払い出された釣銭準備金をＰＯＳレジスタに付設される釣銭機に補充する実施例２に係る処理の概要を説明するための説明図である。
【図１８】図１８は、図１７に示したＰＯＳレジスタの実施例２に係る機能的な内部構成を示すブロック図である。
【図１９】図１９は、図１７に示した管理サーバの実施例２に係る機能的な内部構成を示すブロック図である。
【図２０】図２０は、図１９に示した管理サーバの実施例２に係るデータ構成について説明するための図である。
【図２１】図２１は、図１７に示した携帯端末におけるＰＯＳレジスタからの釣銭準備金払出要求に係る情報を受け付けたときに表示する画面構成を示す図である。
【図２２】図２２は、図１７に示した管理サーバの釣銭補充に係る監視処理の処理手順を示すフローチャートである。
【発明を実施するための形態】
【００１５】
以下に、添付図面を参照して、本発明に係る貨幣管理システムの好適な実施例を詳細に説明する。
【実施例１】
【００１６】
まず、商品代金の決済を行うＰＯＳレジスタ３００が発行した釣銭準備金依頼レシートに基づいて両替機５００（貨幣払出装置として機能する）から払い出された釣銭準備金をＰＯＳレジスタ３００に付設される釣銭機に補充する実施例１に係る処理の概要について図１を用いて説明する。図１に示すように、ＰＯＳレジスタ３００には顧客から受け付けた硬貨の受入と釣銭硬貨の払出を行う硬貨釣銭機１００と、顧客から受け付けた紙幣の受入と釣銭紙幣の払出を行う紙幣釣銭機２００と、金種ごとに５０枚単位で包装された硬貨である棒金を収納する棒金収納機４００が接続される。これらのＰＯＳレジスタ３００、硬貨釣銭機１００、紙幣釣銭機２００および棒金収納機４００によりレジユニットが構成される。
【００１７】
ＰＯＳレジスタ３００は、釣銭準備金の払出依頼に係る操作を受け付けたならば、釣銭準備金として保有すべき適正な在高と、実際の硬貨釣銭機１００、紙幣釣銭機２００及び棒金収納機４００の現金の在高とに基づいて補充すべき貨幣の金種別の数量を算出して、（ａ）に示すように、依頼元のレジ番号、算出した補充すべき金種別の貨幣の数量を含む釣銭準備金依頼レシートを発行する。釣銭準備金依頼レシートには、レジ番号の情報と、補充すべき金種別の紙幣の枚数の情報と、補充すべき硬貨の棒金の本数の情報とが、人が認識可能な文字として出力されるとともに、同じ情報を含むバーコードも出力される。釣銭準備金の払出作業を行う担当者は、ＰＯＳレジスタ３００で発行された釣銭準備金依頼レシートを、（ｂ）に示すように釣銭準備金の配布時に使用する現金バッグ１０に入れて、（ｃ）に示すように両替機５００が設置されているバックオフィスに持ち込む。図１に示すように現金バッグ１０のサイドポケットには、ＰＯＳレジスタ３００を識別するレジ番号の情報が人によって認識可能な文字とバーコードで印刷されたカードが入れられている。
【００１８】
釣銭準備金の払出作業を行う担当者は、バックオフィスに現金バッグ１０を持ち込んだならば、（ｄ）に示すように現金バッグ１０のサイドポケットに入れられたカードのバーコードと、釣銭準備金依頼レシートのバーコードを両替機５００のバーコードリーダ５０３で読み取らせることによってＰＯＳレジスタ３００に対する釣銭準備金の払い出し処理を開始する。具体的には、両替機５００は、現金バッグ１０のサイドポケットに入れられたカードに印刷されたバーコードから読み取ったＰＯＳレジスタ３００のレジ番号と、釣銭準備金依頼レシートに印刷されたバーコードから読み取ったＰＯＳレジスタ３００のレジ番号が一致していることを条件に、釣銭準備金依頼レシートに印刷されたバーコードから読み取った紙幣釣銭機２００に補充すべき紙幣の金種別枚数の情報と、棒金収納機４００に補充すべき硬貨の棒金の本数の情報とに基づいて、（ｅ）に示すように釣銭準備金の払出を行う。また、両替機５００は、（ｄ）で読み取った釣銭補充の依頼元のレジ番号と、（ｅ）で払い出した釣銭準備金の紙幣の金種別枚数の情報及び硬貨の棒金の本数の情報とが、（ｆ）に示すように人が認識可能な文字及びバーコードで出力された釣銭準備金払出レシートを発行する。釣銭準備金の払出作業を行う担当者は、両替機５００で払い出された釣銭準備金と両替機５００で発行された釣銭準備金払出レシートを、（ｇ）に示すよう現金バッグ１０に入れて、（ｈ）に示すように依頼元のＰＯＳレジスタ３００に届ける。
【００１９】
現金バッグ１０を受け取ったＰＯＳレジスタ３００の担当者（あるいは、釣銭準備金を届けた担当者が行う場合もある）は、受け取った現金バッグ１０に収められた貨幣と釣銭準備金払出レシートを取り出して、図示しないＰＯＳレジスタ３００のバーコードリーダ３０８で（ｉ）に示すように現金バッグ１０のサイドポケットに入れられたカードのバーコードと、釣銭準備金払出レシートのバーコードを読み取らせる。この操作によって、ＰＯＳレジスタ３００は、自装置のレジ番号と、現金バッグ１０のサイドポケットに入れられたカードのバーコードから読み取ったレジ番号と、釣銭準備金払出レシートのバーコードから読み取ったレジ番号とが一致することをチェックする。
【００２０】
また、ＰＯＳレジスタ３００は、自装置のレジ番号と、現金バッグ１０のサイドポケットに入れられたカードのバーコードから読み取ったレジ番号と、釣銭準備金払出レシートのバーコードから読み取ったレジ番号とが一致していることを条件として、（ｊ）に示すように現金バッグ１０から取り出した現金の紙幣釣銭機２００及び棒金収納機４００への釣銭の補充処理を行う。具体的には、現金バッグ１０から取り出した紙幣を紙幣釣銭機２００の図示しない紙幣受入部２１４にセットし、現金バッグ１０から取り出した棒金を棒金収納機４００の図示しない棒金収納部４０１に収納する。ＰＯＳレジスタ３００は、釣銭準備金払出レシートのバーコードから読み取った両替機５００で払い出した釣銭準備金の紙幣の金種別の枚数の情報及び硬貨の棒金の金種別の本数の情報と、（ｊ）で紙幣受入部２１４にセットされた紙幣の金種別の枚数及び棒金収納部４０１に収納された棒金の金種別の本数とに不整合がある場合には操作者にその旨の報知を行う。
【００２１】
このように、ＰＯＳレジスタ３００は、釣銭準備金として保有すべき適正な在高と、実際の在高とに基づいて補充すべき貨幣の金種別の数量を算出し、算出した結果が記載された釣銭準備金依頼レシートを出力し、両替機５００は、ＰＯＳレジスタ３００で出力した釣銭準備金依頼レシートから読み取った内容に基づいて貨幣の払出を行い、払い出した貨幣の金種別の数量と依頼元のレジの識別情報とを含む釣銭準備金払出レシートの発行を行い、ＰＯＳレジスタ３００は、釣銭準備金払出レシートから読み取った依頼元のレジの識別情報が自装置の識別情報と一致していることを条件として、両替機５００で払い出された貨幣を補充するようにしたので、貨幣処理装置である両替機５００から決済装置であるＰＯＳレジスタ３００の状況に応じた適切な金種別の枚数の釣銭準備金を払い出して、払い出した釣銭準備金を対応するレジユニットに適正に補充することができる。
【００２２】
次に、貨幣管理システムのシステム構成を説明する。図２は、貨幣管理システムのシステム構成を示す図である。図２に示すように、貨幣管理システムは売場に設置される装置と、従業員のみが出入りすることができるバックオフィスに設置される装置があり、ＬＡＮ等の通信線９０によって接続されている。ＰＯＳレジスタ３００及びそれに接続される装置は売場に設置され、両替機５００、売上入金機６００、ＰＯＳサーバ７００、管理サーバ８００及び管理端末９００はバックオフィスに設置される。また、売場はフロアーなどによって複数の売り場に分割されている。
【００２３】
売場には、複数のＰＯＳレジスタ３００が設置されており、それぞれのＰＯＳレジスタ３００に対して硬貨釣銭機１００、紙幣釣銭機２００及び棒金収納機４００が接続されている。硬貨釣銭機１００は、顧客から受け付けた硬貨の真贋判定を行い、真貨であると判定された硬貨額をＰＯＳレジスタ３００に通知するとともに、受け付けた硬貨を硬貨釣銭機１００の内部に収納する。また、硬貨釣銭機１００は、ＰＯＳレジスタ３００からの指示に基づいて釣銭の硬貨の払出を行う。紙幣釣銭機２００は、顧客から受け付けた紙幣の真贋判定を行い、真券であると判定された紙幣額をＰＯＳレジスタ３００に通知するとともに、受け付けた紙幣を紙幣釣銭機２００の内部に収納する。また、紙幣釣銭機２００は、ＰＯＳレジスタ３００からの指示に基づいて釣銭の紙幣の払出を行う。棒金収納機４００は、５０枚単位で包装された硬貨である棒金を収納する装置であって、金種ごとに収める位置が決まっており金種別の棒金の在高を管理する。
【００２４】
硬貨釣銭機１００、紙幣釣銭機２００及び棒金収納機４００は内部に収納されている硬貨及び紙幣の在高を管理している。また、硬貨及び現金の在高に係る情報は、ＰＯＳレジスタ３００にも随時通知されることから、ＰＯＳレジスタ３００もほぼリアルタイムで硬貨釣銭機１００、紙幣釣銭機２００及び棒金収納機４００の現金の在高を把握することができる。
【００２５】
ＰＯＳレジスタ３００は、商品代金の決済を行うための装置であり、顧客の購入した商品の識別情報及び個数の入力を受け付けて顧客への請求金額を算出する。また、ＰＯＳレジスタ３００は、顧客から受け付けた現金を硬貨釣銭機１００及び紙幣釣銭機２００に投入することによって硬貨釣銭機１００及び紙幣釣銭機２００から通知される受付金額を受け取って、受付金額から顧客への請求金額を差し引いた金額を釣銭として払い出すよう硬貨釣銭機１００及び紙幣釣銭機２００に指示を行う。
【００２６】
また、ＰＯＳレジスタ３００は、顧客単位の取引の決済処理が終了するごとに、取引の履歴をレシートとして発行するとともに、取引の履歴を記録する。また、ＰＯＳレジスタ３００は、顧客単位の決済処理が終了するごとに、取引の履歴を上位装置であるバックオフィスに設置されるＰＯＳサーバ７００にも送信する。また、ＰＯＳレジスタ３００は、硬貨釣銭機１００、紙幣釣銭機２００及び棒金収納機４００の現金の在高の情報及びエラー等の状態を随時ＰＯＳサーバ７００にも通知を行う。これによって、ＰＯＳサーバ７００は、ほぼリアルタイムで硬貨釣銭機１００、紙幣釣銭機２００及び棒金収納機４００の現金の在高の情報及びエラー等の状態を把握することができる。
【００２７】
ＰＯＳサーバ７００は、ＰＯＳレジスタ３００から受け付けた取引の履歴と、硬貨釣銭機１００、紙幣釣銭機２００及び棒金収納機４００の現金在高及びエラーなどの状態とを管理サーバ８００にも転送する。管理サーバ８００は、ＰＯＳサーバ７００から受け付けた取引の履歴と、硬貨釣銭機１００、紙幣釣銭機２００及び棒金収納機４００の現金在高及びエラーなど状態とを記憶し、管理端末９００の操作に基づいてＰＯＳレジスタ３００とＰＯＳレジスタ３００に接続する硬貨釣銭機１００、紙幣釣銭機２００及び棒金収納機４００の状況に係る各種一覧の出力を行うことができる。
【００２８】
両替機５００は、釣銭用の両替や釣銭準備金の払出を行う装置である。売上入金機６００は、売場から回収される売上金の入金を行うための装置である。
【００２９】
次に、図２に示したＰＯＳレジスタ３００、硬貨釣銭機１００、紙幣釣銭機２００、棒金収納機４００及び両替機５００から払い出された釣銭準備金を入れる現金バッグ１０の外観構成を図３を用いて説明する。図３（ａ）は、ＰＯＳレジスタ３００の外観構成を示すための斜視図で、図３（ｂ）はＰＯＳレジスタ３００に接続される硬貨釣銭機１００、紙幣釣銭機２００及び棒金収納機４００の外観構成を示す斜視図で、図３（ｃ）は、バックオフィスの両替機５００で払い出された釣銭準備金を収納してＰＯＳレジスタ３００に搬送するときに使用する現金バッグ１０の外観構成を示す図である。
【００３０】
図３（ａ）に示すようにＰＯＳレジスタ３００は、硬貨釣銭機１００や紙幣釣銭機２００における硬貨や紙幣の処理状況や、硬貨釣銭機１００や紙幣釣銭機２００で受け付けた硬貨や紙幣の預かり額や決済対象の商品の一覧などを表示する表示部３０２と、ＰＯＳレジスタ３００に対する様々な入力操作を受け付ける操作部３０４と、表示部３０２に表示する内容の一部や表示部３０２とは異なる内容を表示する追加表示部３０２ａと、レシートを発行するプリンタ３０６と、商品などのバーコードを読み取るバーコードリーダ３０８を有する。
【００３１】
また、図３（ｂ）に示すように硬貨釣銭機１００は、前部上面にタッチパネル等の操作表示部１１２と、顧客から受け付けた硬貨を投入する硬貨受入部１１４を備え、前部に釣銭硬貨を払い出す硬貨払出部１１６が設けられている。硬貨受入部１１４は、受け入れた硬貨を１層１列状態で１枚ずつ機体内に取り込む。
【００３２】
また、図３（ｂ）に示すように紙幣釣銭機２００は、前面には、紙幣受入口２１４ａと、紙幣取出口２１６ａとを備えている。また、売上金の回収時に使用する回収カセット２０７は筐体に対して着脱自在に取り付けられている。
【００３３】
また、図３（ｂ）に示すように、棒金収納機４００は硬貨釣銭機１００の下に配置され、装置手前に引き出すことが可能な棒金収納部４０１を備えている。
【００３４】
図３（ｂ）に示すように、硬貨釣銭機１００と棒金収納機４００とが上下に重ねて配置され、硬貨釣銭機１００及び棒金収納機４００の横に並べて紙幣釣銭機２００が配置されると、硬貨釣銭機１００及び紙幣釣銭機２００の上面は同じ高さになるよう構成されており、その上面にＰＯＳレジスタ３００を置載することができる。
【００３５】
また、図３（ｃ）に示すように、現金バッグ１０は、その側面にレジの売り場及びレジ番号を記載したカードを入れることができるサイドポケットを有するバッグであり、釣銭準備金の搬送時には当該現金バッグ１０が使用される。サイドポケットに入れられたカードには、人の目で見て分かるように文字による売り場及びレジ番号が記載されているとともに、売り場及びレジ番号の情報を含むバーコードも印刷されている。
【００３６】
次に、図２に示したＰＯＳレジスタ３００、硬貨釣銭機１００、紙幣釣銭機２００及び棒金収納機４００の実施例１に係る装置内部の物理構成を、図４を用いて説明する。
【００３７】
ＰＯＳレジスタ３００は、表示部３０２、操作部３０４及びＰＯＳレジスタ全体を制御する制御部３３０を有している。制御部３３０は、通信回線を介してＰＯＳサーバ７００に接続されており、売上金情報等が送信されるようになっている。また、ＰＯＳレジスタ３００の制御部３３０は、硬貨釣銭機１００の制御部１３０と通信回線によって接続されている。また、硬貨釣銭機１００の制御部１３０は、紙幣釣銭機２００の制御部２３０及び棒金収納機４００の制御部４３０とも互いに通信回線によって接続されている。ＰＯＳレジスタ３００は、硬貨釣銭機１００との通信回線を通して、硬貨釣銭機１００からの情報、硬貨釣銭機１００を経由して紙幣釣銭機２００からの情報及び棒金収納機４００からの情報を取得する。また、ＰＯＳレジスタ３００は、通信回線を通して硬貨釣銭機１００、硬貨釣銭機１００を通して紙幣釣銭機２００及び棒金収納機４００に対する指示を行うことができる。
【００３８】
硬貨釣銭機１００の筐体の前部上面に設けられている硬貨受入部１１４は、受け入れた硬貨を１層１列状態で１枚ずつ機体内に取り込むようになっている。硬貨受入部１１４には、当該硬貨受入部１１４により機体内に取り込まれた硬貨を搬送する入金搬送部１０３が接続されている。
【００３９】
この入金搬送部１０３の途中には、硬貨の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を出金搬送部１０８へ搬送する。
【００４０】
一方、正常硬貨等の機体内に収納されるべき硬貨は入金搬送部１０３により硬貨収納部１０６へ搬送されるようになっている。硬貨収納部１０６は硬貨を金種別に収納するようになっている。具体的には、例えば入金搬送部１０３の上流側から高額順に硬貨が収納される。出金搬送部１０８は、硬貨収納部１０６から繰り出された硬貨を硬貨払出部１１６へ搬送する。また、出金搬送部１０８は、分岐部１０４から搬送されたリジェクト硬貨等を硬貨払出部１１６へ搬送する。
【００４１】
紙幣釣銭機２００は、この筐体内の略中央部に設けられた環状の周回搬送部２０３ａを備えている。また、紙幣受入部２１４、３つの紙幣収納部２０６、紙幣払出部２１６、出金リジェクト部２０４、及び回収カセット２０７が、周回搬送部２０３ａから外周を取り囲むように配置されている。
【００４２】
また、紙幣釣銭機２００の筐体の内部には、紙幣受入部２１４、紙幣収納部２０６、紙幣払出部２１６、出金リジェクト部２０４、及び回収カセット２０７と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の識別を行う。また、周回搬送部２０３ａと接続搬送部２０３ｂとの間で紙幣の搬送経路を切り換える経路切換部（図示せず）が、周回搬送部２０３ａに沿って配置されている。
【００４３】
紙幣受入部２１４は、紙幣受入口２１４ａに挿入された入金紙幣を１枚ずつ取り込んで、周回搬送部２０３ａ側へ繰り出すようになっている。紙幣収納部２０６は、紙幣識別部２０１の識別結果に基づいて紙幣を金種別に収納する。紙幣払出部２１６は、紙幣収納部２０６から周回搬送部２０３ａに繰り出された紙幣を紙幣取出口２１６ａより機外へ放出する。
【００４４】
出金リジェクト部２０４は、紙幣収納部２０６から繰り出された紙幣のうち、斜行等により紙幣識別部２０１で識別することができない紙幣を出金リジェクト紙幣として収納する。また、紙幣受入部２１４から機体内に取り込まれた紙幣のうち、汚損等により紙幣識別部２０１で識別することができない紙幣は入金リジェクト紙幣として紙幣払出部２１６に返却される。
【００４５】
棒金収納機４００は、棒金を収納する棒金収納部４０１を有している。
【００４６】
次に、図２に示したＰＯＳレジスタ３００、硬貨釣銭機１００、紙幣釣銭機２００及び棒金収納機４００の実施例１に係る内部構成を説明する。図５は、ＰＯＳレジスタ３００、硬貨釣銭機１００、紙幣釣銭機２００及び棒金収納機４００の実施例１に係る内部構成を示すブロック図である。
【００４７】
図５に示すように、硬貨釣銭機１００は、通信部１３２、硬貨受入部１１４、入金搬送部１０３、硬貨識別部１０１、分岐部１０４、硬貨収納部１０６、出金搬送部１０８、硬貨払出部１１６、操作表示部１１２、記憶部１３４及び制御部１３０を備えている。通信部１３２は、通信回線を通してＰＯＳレジスタ３００、紙幣釣銭機２００及び棒金収納機４００とのデータ通信を行うためのインタフェース部である。
【００４８】
硬貨受入部１１４は、入金する硬貨の受付を行う。入金搬送部１０３は、硬貨受入部１１４で受け付けた硬貨を硬貨識別部１０１、分岐部１０４を経由して硬貨収納部１０６への搬送を行う。硬貨識別部１０１は、入金搬送部１０３によって搬送されてきた硬貨の真偽及び正損の判定を行う。分岐部１０４は、硬貨識別部１０１の真偽及び正損の識別結果に応じて、搬送されてきた硬貨を硬貨払出部１１６に続く出金搬送部１０８若しくは硬貨収納部１０６に続く入金搬送部１０３のいずれかに分岐させる。真貨であり且つ正貨と識別された場合には、分岐部１０４は搬送されてきた硬貨を硬貨収納部１０６に続く入金搬送部１０３に振り分ける。また、偽貨若しくは損貨と識別された場合には、分岐部１０４は搬送されてきた硬貨を硬貨払出部１１６に続く出金搬送部１０８に振り分ける。
【００４９】
硬貨収納部１０６は、硬貨の入金処理で真貨であり且つ正貨と識別された硬貨を収納する収納部である。また、硬貨の出金処理では、当該硬貨収納部１０６から硬貨を繰り出して払い出しを行う。出金搬送部１０８は、硬貨の出金処理において硬貨収納部１０６から繰り出された硬貨を硬貨払出部１１６に搬送する。また、出金搬送部１０８は、硬貨識別部１０１によって偽貨若しくは損貨と識別された場合に、分岐部１０４から分岐により受け付けた偽貨若しくは損貨と識別された硬貨を硬貨払出部１１６に搬送する。硬貨払出部１１６は、釣銭として出金する硬貨若しくは硬貨識別部１０１によって偽貨若しくは損貨と識別された返却する硬貨を払い出す口である。
【００５０】
操作表示部１１２は、硬貨釣銭機１００、紙幣釣銭機２００及び棒金収納機４００における硬貨や紙幣の処理状況や、硬貨釣銭機１００、紙幣釣銭機２００及び棒金収納機４００の内部に収納された硬貨や紙幣の在高などの情報を表示する出力部である。
【００５１】
記憶部１３４は、ハードディスク装置や不揮発性メモリ等の記憶デバイスであり、硬貨在高データ１３４ａ及び入出金履歴データ１３４ｂを有する。硬貨在高データ１３４ａは、硬貨釣銭機１００内で管理する硬貨の金種別の在高を示すデータである。入出金履歴データ１３４ｂは、硬貨釣銭機１００で行われた硬貨の受け払いの履歴を記録したデータである。
【００５２】
制御部１３０は、硬貨釣銭機１００の全体を制御する制御部であり、入出金処理部１３０ａ、補充処理部１３０ｂ及び回収処理部１３０ｃを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００５３】
入出金処理部１３０ａは、硬貨の入金処理及び出金処理全体を制御する処理部である。また、入出金処理部１３０ａは、硬貨入出金が終了したならば、入出金履歴データ１３４ｂの更新を行うとともに、金種ごとの入出金の内容に応じて硬貨在高データ１３４ａの更新を行う。
【００５４】
補充処理部１３０ｂは、硬貨受入部１１４で受け付けた硬貨の硬貨収納部１０６への補充処理の全体を制御する処理部である。補充処理部１３０ｂは、補充処理により硬貨収納部１０６に収納された硬貨の枚数に応じて硬貨在高データ１３４ａの更新を行う。また、補充処理部１３０ｂは、補充処理に係る情報を入出金履歴データ１３４ｂに登録する。
【００５５】
回収処理部１３０ｃは、ＰＯＳレジスタ３００から回収の指示を受け付けた場合、若しくは操作表示部１１２の操作による回収の指示を受け付けた場合に、金種ごとに指定された枚数の硬貨を硬貨払出部１１６に回収する。また、回収処理部１３０ｃは、回収された硬貨の枚数に応じて硬貨在高データ１３４ａの更新を行う。
【００５６】
入出金処理部１３０ａ、補充処理部１３０ｂ及び回収処理部１３０ｃは、それぞれの処理の結果、硬貨在高データ１３４ａ及び入出金履歴データ１３４ｂの更新が行われた場合には、更新内容をＰＯＳレジスタ３００に通知する。
【００５７】
図５に示すように、紙幣釣銭機２００は、通信部２３２、紙幣受入部２１４、周回搬送部２０３ａ、接続搬送部２０３ｂ、紙幣識別部２０１、紙幣収納部２０６、出金リジェクト部２０４、紙幣払出部２１６、回収カセット２０７、記憶部２３４及び制御部２３０を備えている。通信部２３２は、通信回線を通して硬貨釣銭機１００とのデータ通信を行うためのインタフェース部である。
【００５８】
紙幣受入部２１４は、入金する紙幣の受付を行う。周回搬送部２０３ａは、紙幣受入部２１４から繰り出した紙幣を紙幣収納部２０６に続く接続搬送部２０３ｂか、回収カセット２０７に続く接続搬送部２０３ｂか、紙幣払出部２１６に続く接続搬送部２０３ｂのいずれかに選択的に搬送する。また、周回搬送部２０３ａは、紙幣収納部２０６から繰り出した紙幣を出金リジェクト部２０４に続く接続搬送部２０３ｂか、回収カセット２０７に続く接続搬送部２０３ｂか、紙幣払出部２１６に続く接続搬送部２０３ｂのいずれかに選択的に搬送する。接続搬送部２０３ｂは、周回搬送部２０３ａと紙幣収納部２０６、回収カセット２０７、紙幣払出部２１６、出金リジェクト部２０４若しくは紙幣受入部２１４とを結ぶ紙幣の搬送処理部である。
【００５９】
紙幣識別部２０１は、周回搬送部２０３ａ上にあって、紙幣の真偽及び正損の識別を行う。紙幣収納部２０６は、紙幣の入金処理で真券であり且つ正券と識別された紙幣を収納する収納部である。また、紙幣の出金処理では、当該紙幣収納部２０６から紙幣を繰り出して払い出しを行う。出金リジェクト部２０４は、紙幣の出金処理において紙幣収納部２０６から繰り出された紙幣のうち、紙幣識別部２０１で偽券若しくは損券と識別された紙幣を収納するボックスである。紙幣払出部２１６は、紙幣の出金処理において紙幣収納部２０６から繰り出された紙幣のうち、紙幣識別部２０１で真券であり且つ正券と識別された紙幣を払い出す口である。また、紙幣払出部２１６は、紙幣の入金処理において紙幣識別部２０１で偽券若しくは損券と識別された紙幣を返却する口である。
【００６０】
回収カセット２０７は、ＰＯＳレジスタ３００から回収の指示を受け付けた場合、若しくは硬貨釣銭機１００の操作表示部１１２の操作による回収の指示を受け付けた場合に、紙幣収納部２０６に収納されている紙幣を搬送する先である。当該回収指示によって、紙幣釣銭機２００内の売上金は回収カセット２０７に集められ、当該回収カセット２０７を抜き取ることによって売上金の回収を行うことができる。
【００６１】
記憶部２３４は、ハードディスク装置や不揮発性メモリ等の記憶デバイスであり、紙幣在高データ２３４ａ及び入出金履歴データ２３４ｂを有する。紙幣在高データ２３４ａは、紙幣釣銭機２００内で管理する紙幣の金種別の在高を示すデータである。入出金履歴データ２３４ｂは、紙幣釣銭機２００で行われた紙幣の受け払いの履歴を記録したデータである。
【００６２】
制御部２３０は、紙幣釣銭機２００の全体を制御する制御部であり、入出金処理部２３０ａ、補充処理部２３０ｂ及び回収処理部２３０ｃを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００６３】
入出金処理部２３０ａは、紙幣の入金処理及び出金処理全体を制御する処理部である。また、入出金処理部２３０ａは、紙幣入出金が終了したならば、入出金履歴データ２３４ｂの更新を行うとともに、金種ごとの入出金の内容に基づいて紙幣在高データ２３４ａの更新を行う。
【００６４】
補充処理部２３０ｂは、紙幣受入部２１４で受け付けた紙幣の紙幣収納部２０６への補充処理の全体を制御する処理部である。補充処理部２３０ｂは、補充処理により紙幣収納部２０６に収納された紙幣の枚数に応じて紙幣在高データ２３４ａの更新を行う。また、補充処理部２３０ｂは、補充処理に係る情報を入出金履歴データ２３４ｂに登録する。
【００６５】
回収処理部２３０ｃは、硬貨釣銭機１００を経由してＰＯＳレジスタ３００から回収の指示を受け付けた場合、若しくは硬貨釣銭機１００の操作表示部１１２の操作による回収の指示を受け付けた場合に、金種ごとに指定された枚数の紙幣を回収カセット２０７に回収する。また、回収処理部２３０ｃは、回収された紙幣の枚数に応じて紙幣在高データ２３４ａの更新を行う。また、回収処理部２３０ｃは、回収処理に係る情報を入出金履歴データ２３４ｂに登録する。
【００６６】
入出金処理部２３０ａ、補充処理部２３０ｂ及び回収処理部２３０ｃは、それぞれの処理の結果、紙幣在高データ２３４ａ及び入出金履歴データ２３４ｂの更新を行う場合には、硬貨釣銭機１００を経由して更新内容をＰＯＳレジスタ３００に通知する。
【００６７】
図５に示すように、棒金収納機４００は、通信部４３２、棒金収納部４０１、ロック部４０２、記憶部４３４及び制御部４３０を備えている。通信部４３２は、通信回線を通して硬貨釣銭機１００とのデータ通信を行うためのインタフェース部である。
【００６８】
棒金収納部４０１は、筐体から引き出すことが可能な引出状の収納部であり、棒金が１本ずつ収納されるポケット部が備えられている。棒金収納部４０１は金種ごとに収納する位置が決まっており、位置ごとに収納されているか否かを検知するセンサを有している。ロック部４０２は、棒金収納部４０１の筐体からの引き出しを制限する電磁ロックである。
【００６９】
記憶部４３４は、ハードディスク装置や不揮発性メモリ等の記憶デバイスであり、棒金在高データ４３４ａを有する。棒金在高データ４３４ａは、棒金収納部４０１に収納されている棒金の在高である金種別の棒金の本数を示すデータである。制御部４３０は、棒金収納機４００の全体を制御する制御部である。制御部４３０は、棒金収納部４０１に収納されている棒金の在高が変化した場合には、変化に準じて棒金在高データ４３４ａの更新を行うとともに、硬貨釣銭機１００を経由して棒金在高データ４３４ａの更新内容をＰＯＳレジスタ３００に通知する。
【００７０】
図５に示すように、ＰＯＳレジスタ３００は表示部３０２、操作部３０４、プリンタ３０６、バーコードリーダ３０８、ＰＯＳレジスタ３００を操作する担当者のカードの情報を読み取るカードリーダ３１０、通信部３３２、記憶部３３４及び制御部３３０を備えている。
【００７１】
記憶部３３４は、ハードディスク装置や不揮発性メモリ等の記憶デバイスであり、在高データ３３４ａ、取引履歴データ３３４ｂ及び適正在高パラメータ３３４ｃを有する。在高データ３３４ａは、接続される硬貨釣銭機１００、紙幣釣銭機２００及び棒金収納機４００から通知される硬貨在高データ１３４ａ、紙幣在高データ２３４ａおよび棒金在高データ４３４ａを記憶したデータである。取引履歴データ３３４ｂは、ＰＯＳレジスタ３００で決済された顧客との取引の履歴のデータを含む。また、取引履歴データ３３４ｂは、釣銭の補充処理、回収処理及び装置のエラー発生の状況などの履歴の情報も含む。
【００７２】
適正在高パラメータ３３４ｃは、ＰＯＳレジスタ３００が決済装置として稼働させるにあたり接続される硬貨釣銭機１００、紙幣釣銭機２００及び棒金収納機４００に収納される釣銭準備金の適正な金種別の貨幣枚数と、補充が必要と判定する金種別の貨幣枚数の閾値とを有する。
【００７３】
制御部３３０は、ＰＯＳレジスタ３００の全体を制御する制御部であり、履歴情報管理部３３０ａ及び補充処理部３３０ｂを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００７４】
履歴情報管理部３３０ａは、ＰＯＳレジスタ３００で処理される商品代金の決済処理だけではなく、釣銭機に対する釣銭準備金の補充処理、釣銭機からの現金の回収処理及びエラー発生の状況などを取引履歴データ３３４ｂに記録するとともに、記録した内容をＰＯＳサーバ７００に送信する。また、履歴情報管理部３３０ａは、ＰＯＳサーバ７００に取引履歴データ３３４ｂの更新内容を送信する場合に、在高データ３３４ａが更新されている場合には、在高データ３３４ａの更新内容も併せてＰＯＳサーバ７００に送信する。
【００７５】
補充処理部３３０ｂは、在高データ３３４ａに管理されている硬貨釣銭機１００、紙幣釣銭機２００及び棒金収納機４００の在高と、適正在高パラメータ３３４ｃの補充が必要と判定する金種別の貨幣枚数の閾値とを比較して、釣銭準備金の補充が必要な状態なのか否かの判定を行って、釣銭準備金の補充が必要な状態と判定された場合には、表示部３０２などにその旨の表示を行う。また、補充処理部３３０ｂは、釣銭準備金依頼レシートの発行操作を受け付けたならば、在高データ３３４ａと適正在高パラメータ３３４ｃの釣銭準備金の適正な金種別の貨幣枚数とに基づいて、金種別の貨幣の補充依頼数量を算出して、レジの識別情報及び金種別の貨幣の補充依頼数量の情報の印刷された釣銭準備金依頼レシートを発行する。釣銭準備金依頼レシートの発行操作では、依頼した釣銭準備金の数量を変更せずに払い出すことの指定である必須指定を行うことが可能で、当該必須指定の内容も釣銭準備金依頼レシートに含めて印刷される。
【００７６】
また、補充処理部３３０ｂは、釣銭準備金依頼レシートに応じて払い出された釣銭準備金と、釣銭準備金の払出時に発行された釣銭準備金払出レシートの収められた現金バッグ１０のサイドポケットに入れられたカードのバーコードを読み取って、現金バッグ１０から取り出した釣銭準備金払出レシートのバーコードを読み取って、現金バッグ１０から取り出した釣銭準備金を硬貨釣銭機１００、紙幣釣銭機２００及び棒金収納機４００に入れて、各種の整合性のチェックを行ったうえで釣銭準備金の補充を行う。
【００７７】
具体的には、補充処理部３３０ｂは、自装置で記憶しているレジ番号と、現金バッグ１０のサイドポケットに入れられたカードのバーコードから読み取ったレジ番号と、釣銭準備金払出レシートから読み取ったレジ番号が一致することを確認する。これが一致していない場合には、別のレジ宛の現金バッグ１０を受け取ってしまったか、現金バッグ１０に正しく自装置宛に払い出された釣銭準備金に対応する釣銭準備金払出レシートが収納されていないなどの作業誤りがあったことを示していることから、その旨のメッセージを表示部３０２などに表示する。また、補充処理部３３０ｂは、釣銭準備金払出レシートから読み取った釣銭準備金として払い出された貨幣の数量に係る情報と、実際に硬貨釣銭機１００、紙幣釣銭機２００及び棒金収納機４００に入れられた貨幣の数量が一致することを確認する。これが一致していない場合には、両替機５００で払い出された釣銭準備金が対応する正しいレジ用の現金バッグ１０に入れられてなかったか、現金バッグ１０に入っていた現金を全て硬貨釣銭機１００、紙幣釣銭機２００及び棒金収納機４００に入れていないなどの作業誤りがあったことを示していることから、その旨のメッセージを表示部３０２などに表示する。
【００７８】
次に、硬貨釣銭機１００に硬貨を入金する場合の動作について以下に説明する。入出金処理部１３０ａは、硬貨釣銭機１００の硬貨受入部１１４に硬貨が受け入れられると、硬貨受入部１１４は、受け入れた硬貨を１層１列状態で１枚ずつ機体内に取り込み、取り込まれた硬貨は入金搬送部１０３により搬送される。そして、入金搬送部１０３により搬送される硬貨は硬貨識別部１０１により硬貨の識別が行われる。入出金処理部１３０ａは、硬貨識別部１０１による硬貨の識別結果に基づいて、リジェクト硬貨等の硬貨払出部１１６から払い出されるべき硬貨であると識別された硬貨は、分岐部１０４により出金搬送部１０８へ搬送し、出金搬送部１０８により硬貨払出部１１６に搬送する。一方、硬貨識別部１０１による硬貨の識別結果に基づいて、正常硬貨等の機体内に収納されるべき硬貨であると識別された硬貨は、入金搬送部１０３により硬貨収納部１０６へ搬送し、当該硬貨収納部１０６に金種別に収納する。
【００７９】
また、硬貨釣銭機１００から釣銭としての硬貨を出金する場合には、操作者は操作表示部１１２により出金されるべき硬貨の金種別の枚数や合計金額等を入力する。あるいは、ＰＯＳレジスタ３００から出金指示が硬貨釣銭機１００に送られると、硬貨釣銭機１００から釣銭としての硬貨が出金される。硬貨釣銭機１００の入出金処理部１３０ａに対して出金指示が与えられると、硬貨収納部１０６に収納されている硬貨が繰り出され、繰り出された硬貨は出金搬送部１０８により硬貨払出部１１６へ搬送される。このようにして、操作者は、硬貨払出部１１６から硬貨を取り出すことができるようになる。
【００８０】
次に、紙幣釣銭機２００に紙幣を入金する場合の動作について以下に説明する。入出金処理部２３０ａは、紙幣受入部２１４の紙幣受入口２１４ａに紙幣が挿入されると、紙幣受入部２１４は、紙幣受入口２１４ａに挿入された入金紙幣を１枚ずつ取り込んで、周回搬送部２０３ａ側へ繰り出す。そして、周回搬送部２０３ａ側へ繰り出された紙幣は当該周回搬送部２０３ａにより搬送され、この際に紙幣識別部２０１により紙幣の識別が行われる。紙幣識別部２０１により正常な紙幣であると識別された紙幣は、各紙幣収納部２０６に金種別に収納する。一方、紙幣受入部２１４から取り込まれた紙幣のうち、汚損や搬送異常等により紙幣識別部２０１で識別することができない紙幣は入金リジェクト紙幣として紙幣払出部２１６に返却される。
【００８１】
また、紙幣釣銭機２００から釣銭としての紙幣を出金する場合には、操作者は操作表示部１１２により出金されるべき紙幣の金種別の枚数や合計金額等を入力する。あるいは、ＰＯＳレジスタ３００から硬貨釣銭機１００を経由して出金指示が紙幣釣銭機２００に送られると、紙幣釣銭機２００から釣銭としての紙幣が出金される。紙幣釣銭機２００の入出金処理部２３０ａに対して出金指示が与えられると、紙幣収納部２０６に収納されている紙幣が繰り出され、繰り出された紙幣は紙幣識別部２０１により識別された後、周回搬送部２０３ａにより紙幣払出部２１６に送られる。そして、紙幣払出部２１６は、紙幣収納部２０６から送られた紙幣を紙幣取出口２１６ａより筐体外へ放出する。このようにして、操作者は、紙幣釣銭機２００から出金された紙幣を得ることができるようになる。なお、紙幣収納部２０６から繰り出された紙幣のうち、斜行等により紙幣識別部２０１で識別することができない紙幣は、出金リジェクト紙幣として出金リジェクト部２０４に収納
される。
【００８２】
次に、図５に示した硬貨釣銭機１００及び紙幣釣銭機２００の実施例１に係るデータ構成について図６を用いて説明する。
【００８３】
硬貨在高データ１３４ａは、硬貨釣銭機１００の硬貨金種別の機内在高と、金種別の硬貨収納部１０６に収納することができなかったあふれ硬貨の枚数とを含む。図６の硬貨在高データ１３４ａの例は、５００円貨が「１０」枚で、１００円貨が「２０」枚で、５０円貨が「２０」枚で、１０円貨が「１１０」枚で、５円貨が「５０」枚で、１円貨が「４０」枚で、あふれ貨が「０」枚であることを示している。
【００８４】
入出金履歴データ１３４ｂは、処理が行われた日時に関連付けられた処理区分、受け付けた金種別の硬貨の枚数である金種別受付枚数と、払い出した金種別の硬貨の枚数である金種別払出枚数をレコードの保有項目とするデータである。処理区分はコード化された情報であって行われた処理内容を示す情報であり、「１」は代金決済で、「２」は両替で、「３」は補充で、「４」は棒金収納機４００に収納されている棒金を取り出して硬貨釣銭機１００に補充するくずし補充で、「５」は回収で、「６」は自動精査で、「７」はエラー発生であることを示している。
【００８５】
図６の入出金履歴データ１３４ｂの例は、日時が「２０１４／４／１０  １８：３０」に処理区分「１」の示す代金決済処理が行われ、硬貨は受け付けていなくて、１００円貨を「２」枚を払い出したことを示すレコードが含まれていることを示している。
【００８６】
紙幣在高データ２３４ａは、紙幣釣銭機２００の紙幣金種別の機内在高と、紙幣収納部２０６から正しく繰り出すことができなかったリジェクト件数と、金種別の紙幣収納部２０６に収納することができなかったあふれ紙幣の枚数とを含む。である。図６の紙幣在高データ２３４ａの例は、万円券が「３０」枚で、五千円券が「２０」枚で、千円券が「１２０」枚で、リジェクト件数が「５」件で、あふれ券数が「０」枚であることを示している。
【００８７】
入出金履歴データ２３４ｂは、処理が行われた日時に関連付けられた処理区分、受け付けた紙幣の金種別の枚数である金種別受付枚数と、払い出した紙幣の金種別の枚数である金種別払出枚数をレコードの保有項目とするデータである。処理区分はコード化されたデータであってコードの意味は先に説明した入出金履歴データ１３４ｂの処理区分と同じである。図６の入出金履歴データ２３４ｂの例は、日時が「２０１４／４／１０  １８：３０」に処理区分「１」の示す代金決済処理が行われ、万円券「１」枚を受け付けて、五千円券「１」枚を払い出したことを示すレコードが含まれていることを示している。
【００８８】
棒金在高データ４３４ａは、棒金収納機４００の硬貨金種別の棒金の機内在高である。図６の棒金在高データ４３４ａの例は、棒金収納機４００の硬貨金種別の棒金の機内在高が、５００円貨の棒金が「０」本で、１００円貨の棒金が「２」本で、５０円貨の棒金が「１」本で、１０円貨の棒金が「１」本で、５円貨の棒金が「１」本で、１円貨の棒金が「０」本であることを示している。
【００８９】
次に、図５に示したＰＯＳレジスタ３００の実施例１に係るデータ構成について図７を用いて説明する。
【００９０】
在高データ３３４ａは、硬貨釣銭機１００、紙幣釣銭機２００及び棒金収納機４００から通知された硬貨在高データ１３４ａ、紙幣在高データ２３４ａ及び棒金在高データ４３４ａを記憶したデータであって、紙幣在高データ２３４ａに対応する紙幣の金種別の在高の情報と、硬貨釣銭機１００に対応するバラの硬貨の在高の情報と、棒金収納機４００に対応する棒金の硬貨の在高の情報とを含んでいる。
【００９１】
図７の在高データ３３４ａの例は、紙幣釣銭機２００の在高は万円券が「３０」枚で、五千円券が「２０」枚で、千円券が「１２０」枚で、リジェクト件数が「５」件で、あふれ券数が「０」枚であり、硬貨釣銭機１００の在高は５００円貨が「１０」枚で、１００円貨が「２０」枚で、５０円貨が「２０」枚で、１０円貨が「１１０」枚で、５円貨が「５０」枚で、１円貨が「４０」枚で、あふれ貨が「０」枚であり、棒金収納機４００の在高は５００円貨の棒金が「０」本で、１００円貨の棒金が「２」本で、５０円貨の棒金が「１」本で、１０円貨の棒金が「１」本で、５円貨の棒金が「１」本で、１円貨の棒金が「０」本であることを示している。
【００９２】
取引履歴データ３３４ｂは、処理が行われた日時と、レジ番号と、処理区分と、当該処理で発行されたレシートを識別するレシート番号と、当該処理の取引額と、取引額のうちのクレジットカードによる決済額と、取引額のうちの商品券による決済額と、受け付けた金種別の貨幣の枚数と、払い出した金種別の貨幣の枚数と、硬貨釣銭機１００、紙幣釣銭機２００及び棒金収納機４００のエラーコードと、処理区分が「１」の代金決済の場合の購入した商品に係る情報などをレコードの保有項目とするデータである。処理区分はコード化されたデータであってコードの意味は先に説明した入出金履歴データ１３４ｂの処理区分と同じである。また、処理区分が「３」の補充の場合には、シート番号には、補充処理で読み取る釣銭準備金払出レシートのレシート番号が記録される。
【００９３】
図７の取引履歴データ３３４ｂの例は、日時が「２０１４／４／１０  １８：３０」に、レジ番号が「１０１」のレジにおいて、処理区分「１」の示す代金決済処理が行われ、レシート番号が「０２９５」のレシートが発行され、取引額が「４，８００」円で、クレジット決済額及び商品券決済額はともに「０」円で、万円券「１」枚を受け付けて、五千円券「１」枚と、１００円貨「２」枚を払い出したことを示すレコードが含まれていることを表している。
【００９４】
適正在高パラメータ３３４ｃは、ＰＯＳレジスタ３００が決済装置として稼働させるにあたり接続される硬貨釣銭機１００、紙幣釣銭機２００及び棒金収納機４００に収納される釣銭準備金の適正な数量を示す金種別の適正枚数と、補充が必要と判定する金種別の貨幣の下限を示す補充閾値とを有する。
【００９５】
図７の適正在高パラメータ３３４ｃの例は、五千円券の適正枚数が「５０」枚で補充閾値が「１０」枚で、千円券の適正枚数が「１００」枚で補充閾値が「５０」枚で、５００円貨の適正枚数が「１２０」枚で補充閾値が「２０」枚で、１００円貨の適正枚数が「１６０」枚で補充閾値が「５０」枚で、５０円貨の適正枚数が「１２０」枚で補充閾値が「２０」枚で、１０円貨の適正枚数が「１６０」枚で補充閾値が「５０」枚で、５円貨の適正枚数が「１２０」枚で補充閾値が「２０」枚で、１円貨の適正枚数が「１６０」枚で補充閾値が「５０」枚であることを示している。
【００９６】
次に、図２に示した管理サーバ８００の実施例１に係る機能的な内部構成を説明する。図８は、管理サーバ８００の実施例１に係る機能的な内部構成を示すブロック図である。図８に示すように、管理サーバ８００は、入力部８０１及び表示部８０２と接続される。入力部８０１は、キーボードやマウス等であり、表示部８０２は、液晶パネル等のディスプレイ装置である。
【００９７】
また、管理サーバ８００は、通信部８３２と、記憶部８３４と、制御部８３０とを有する。通信部８３２は、ＬＡＮなどの通信線９０を介して両替機５００、売上入金機６００、ＰＯＳサーバ７００及び管理端末９００とデータ通信するためのインタフェース部である。
【００９８】
記憶部８３４は、ハードディスク装置や不揮発性メモリ等からなる記憶デバイスである。記憶部８３４は、レジ状態データ８３４ａ、ＰＯＳレジ取引履歴データ８３４ｂ、後方機処理履歴データ８３４ｃ及びイベントデータ８３４ｄを有している。
【００９９】
レジ状態データ８３４ａは、ＰＯＳサーバ７００を経由して受け付ける硬貨釣銭機１００、紙幣釣銭機２００及び棒金収納機４００の在高に係る情報と、ＰＯＳサーバ７００を経由して受け付けるＰＯＳレジ取引履歴データ８３４ｂに含まれる硬貨釣銭機１００、紙幣釣銭機２００及び棒金収納機４００のエラーコードの情報とに基づいて管理されているＰＯＳレジスタ３００（レジユニット）ごとの状態を管理する情報である。
【０１００】
ＰＯＳレジ取引履歴データ８３４ｂは、ＰＯＳサーバ７００を経由して受け付けたＰＯＳレジスタ３００の取引履歴データ３３４ｂの更新情報を記憶したデータである。後方機処理履歴データ８３４ｃは、両替機５００、売上入金機６００などのバックオフィスに設置される後方機器で行われた処理の履歴情報である。
【０１０１】
イベントデータ８３４ｄは、定休日や特売日などの店舗単位のイベントスケジュール及びＰＯＳレジスタ３００に接続される硬貨釣銭機１００、紙幣釣銭機２００及び棒金収納機４００の現金を全て回収する全回収や、硬貨釣銭機１００、紙幣釣銭機２００及び棒金収納機４００の在高を硬貨釣銭機１００、紙幣釣銭機２００及び棒金収納機４００の自動精査機能を使用して確認する自動精査などのＰＯＳレジスタ３００（レジユニット）ごとのイベントスケジュールが登録されたデータである。
【０１０２】
制御部８３０は、管理サーバ８００の全体を制御する制御部であり、レジ状態管理部８３０ａ、履歴管理部８３０ｂ及びイベントデータ管理部８３０ｃを有する。実際には、これらの機能部に対応するプログラムを図示しないＲＯＭや不揮発性メモリに記憶しておき、これらのプログラムをＣＰＵ（Central Processing Unit）にロードして実行することにより、対応するプロセスを実行させることになる。
【０１０３】
レジ状態管理部８３０ａは、ＰＯＳサーバ７００を経由して受け付けた硬貨釣銭機１００、紙幣釣銭機２００及び棒金収納機４００の在高に係る情報と、硬貨釣銭機１００、紙幣釣銭機２００及び棒金収納機４００のエラーの発生状況などの情報に基づいてレジ状態データ８３４ａの更新を行う。ＰＯＳレジスタ３００が新設された場合には、レジ状態管理部８３０ａは、ＰＯＳサーバ７００を経由して受け付ける硬貨釣銭機１００、紙幣釣銭機２００及び棒金収納機４００の在高に係る情報と、ＰＯＳサーバ７００を経由して受け付けるＰＯＳレジ取引履歴データ８３４ｂとに基づいて新たに設置されたＰＯＳレジスタ３００に対するレコードが自動的に追加される。また、レジ状態管理部８３０ａは、一定期間情報（例えば、３０日間）が送信されて来ないＰＯＳレジスタ３００については、撤去されたものと判断して自動的にレジ状態データ８３４ａの当該ＰＯＳレジスタ３００に対応するレコードを削除する。
【０１０４】
また、レジ状態管理部８３０ａは、管理端末９００からの操作を受け付けて、レジ状態データ８３４ａなどのデータに基づく各種照会処理を行う。
【０１０５】
履歴管理部８３０ｂは、ＰＯＳレジスタ３００の取引履歴データ３３４ｂの更新情報をＰＯＳサーバ７００を経由して受け付けて、受け付けた情報に基づいてＰＯＳレジ取引履歴データ８３４ｂの更新を行い、両替機５００、売上入金機６００などのバックオフィスに設置される後方機器から処理履歴の情報を受け付けて、受け付けた情報に基づいて後方機処理履歴データ８３４ｃの更新を行う。
【０１０６】
イベントデータ管理部８３０ｃは、イベントデータ８３４ｄの登録及び更新に係る入力操作を受け付けてイベントデータ８３４ｄへの登録及び更新を行い、イベントデータ８３４ｄの更新が行われた場合には、更新された内容を両替機５００などの関連する装置に配信する。
【０１０７】
次に、図８に示した管理サーバ８００の実施例１に係るデータ構成について図９を用いて説明する。
【０１０８】
レジ状態データ８３４ａは、ＰＯＳレジスタ３００を識別するレジ番号に関連付けた、ＰＯＳレジスタ３００の状態を更新した日時の情報と、硬貨釣銭機１００、紙幣釣銭機２００及び棒金収納機４００の発生中のエラーコードと、紙幣のリジェクト件数と、紙幣及び硬貨のあふれ枚数と、硬貨釣銭機１００、紙幣釣銭機２００及び棒金収納機４００に収納されている貨幣の金種別の枚数とをレコードの保有項目とするデータである。
【０１０９】
図９のレジ状態データ８３４ａの例は、レジ番号「２０１」のレジは、状態の情報を更新した日時が「２０１４／４／１０  １６：４０」で、硬貨釣銭機１００、紙幣釣銭機２００及び棒金収納機４００のエラーが発生している状況ではなく、紙幣のリジェクト件数が「５」件で、紙幣のあふれ券数が「０」枚で、硬貨のあふれ貨数が「０」枚で、硬貨釣銭機１００、紙幣釣銭機２００及び棒金収納機４００の万円券の在高が「３０」枚で、五千円券の在高が「２０」枚で、千円券の在高が「１２０」枚で、５００円貨の在高が「１０」枚で、１００円貨の在高が「１２０」枚で、５０円貨の在高が「７０」枚で、１０円貨の在高が「１６０」枚で、５円貨の在高が「１００」枚で、１円貨の在高が「４０」枚であることを示すレコードが含まれていることを表している。
【０１１０】
後方機処理履歴データ８３４ｃは、後方機で行われた処理の日時、後方機の装置区分及び後方機の装置番号に関連付けられた処理区分と、処理実施に当たって受け付けたレシートの番号と、処理実施にともなって発行したレシートの番号と、処理された金額と、紙幣及びバラ硬貨の受付枚数と、硬貨の棒金受付本数と、紙幣及びバラ硬貨の払出枚数と、硬貨の棒金払出本数などとをレコードの保有項目とするデータである。装置区分はコード化されたデータであって後方機の装置の種類を示す情報であり、「１」は入金機、「２」は出金機、「３」は入出金機、「４」は両替機５００であることを示す。また、処理区分はコード化されたデータであって後方機の処理内容を示す情報であり、「１」は売上金入金処理、「２」は釣銭準備金払出処理、「３」は両替処理、「４」はＰＯＳレジスタ３００から回収された現金の受付処理であることを示す。
【０１１１】
図９の後方機処理履歴データ８３４ｃの例は、処理の日時が「２０１４／４／１０  １５：４５」で、処理が行われた装置の装置区分が「４」で両替機５００であり、該両替機５００の装置番号が「０１」で、処理区分が「２」で釣銭準備金払出処理であり、該釣銭準備金払出処理で受け付けた釣銭準備金依頼レシートのレシート番号が「０３０５」で、発行した釣銭準備金払出レシートのレシート番号が「６７８９」で、払い出された金額は「１２１，３００」円で、五千円券が「１０」枚、千円券が「４０」枚、５００円貨の棒金が「１」本、１００円貨の棒金が「２」本、１０円貨の棒金が「２」本、５円貨の棒金が「１」本、１円貨の棒金が「１」本払い出されたことを示すレコードが含まれていることを示している。
【０１１２】
イベントデータ８３４ｄは、日付に関連付けて定休日、特売日等のイベントの有無と、硬貨釣銭機１００、紙幣釣銭機２００及び棒金収納機４００に収納されている貨幣を全て回収する全回収の対象となるレジの一覧と、硬貨釣銭機１００、紙幣釣銭機２００及び棒金収納機４００に収納されている貨幣の在高を硬貨釣銭機１００、紙幣釣銭機２００及び棒金収納機４００が有する自動精査機能を使用して確認する自動精査の対象となるレジの一覧などとをレコードの保有項目とするデータである。
【０１１３】
図９のイベントデータ８３４ｄの例は、日付「２０１４／４／１８」は、定休日に対する情報が「０」で定休日ではなく、特売日に対する情報が「１」で特売日で、全回収を行うことが予定されているレジのレジ番号が「１０３」、「１０８」、「２０２」、「２０７」、「３０１」などで、自動精査を行うことが予定されているレジのレジ番号が「１０６」、「１１１」、「２０５」、「２１０」、「３０３」などであることを示すレコードが含まれていることを表している。
【０１１４】
次に、図２に示した管理端末９００のタッチパネル画面で表示可能な店舗内のＰＯＳレジスタ３００の状況照会画面の画面構成について図１０を用いて説明する。
【０１１５】
図１０（ａ）に示す画面は、管理端末９００におけるレジ状況照会操作によって表示されるレジ状況一覧画面の表示例である。管理サーバ８００のレジ状態管理部８３０ａは、管理端末９００からレジ状況照会操作に基づくレジ状況照会要求を受け付けると、レジ状態データ８３４ａの内容に基づいて、図１０（ａ）に示すようなレジ状況一覧の画面を表示する。レジ状況一覧の画面には、店舗内に設置されている全てのレジのレジ番号とその状況とが一覧で表示される。
【０１１６】
図１０（ａ）に示すようにレジ状況一覧画面では、１つのレジに対してレジ番号を表示するレジ番号欄と該レジ番号のレジの状況を表す状況欄とが割り当てられる。当日に取引履歴データ３３４ｂなどの情報が全く通知されていないＰＯＳレジスタ３００については稼働していないとみなしてレジ番号欄及び状況欄は背景が斜線で表示されることによって非稼働であることが表現される。また、レジ番号に対応するＰＯＳレジスタ３００に接続される硬貨釣銭機１００、紙幣釣銭機２００及び棒金収納機４００に収納されている貨幣の残高が所定の基準値を下回っている場合には、当該レジ番号に対する状況欄に「補充」と表示することによって、当該レジが釣銭準備金を補充する必要があることを示している。釣銭準備金が不足するとＰＯＳレジスタ３００は運用できない状態になってしまうので、状況欄に「補充」と表示される場合にはレジ番号欄も含めて白黒反転等の表示によって目立たせて注意喚起を図る。図１０（ａ）の画面例では、非稼働のＰＯＳレジスタ３００に対してはレジ番号欄及び状況欄の背景を斜線で表現して、釣銭準備金の補充が必要なＰＯＳレジスタ３００に対しては状況欄に「補充」と表示してレジ番号欄及び状況欄を白黒反転表示するものとしたが、これに限定されるものではなく、状況に応じて異なる背景色を使用するものとしてもよい。
【０１１７】
また、図１０（ａ）に示したレジ一覧状況画面の上部には、補充が必要なレジの台数と、紙幣のリジェクトされた紙幣を収めるボックスがフル若しくはニアフルの状態になっているレジの台数と、硬貨若しくは紙幣の収納時に金種別の収納部がフルで入らなかった場合にあふれ券若しくはあふれ貨を収納するボックスがフル若しくはニアフルの状態になっているレジの台数と、エラー発生などによって精査を行わなければならない状況になっているレジの台数とが、レジ状態データ８３４ａの内容に基づいて表示される。また、それらの表示の右側には「詳細表示」のボタンが配置され、「詳細表示」ボタンが操作されると、図１０（ｃ）に示す詳細画面に遷移する。
【０１１８】
図１０（ａ）のレジ状況一覧画面では、リジェクトされた紙幣を収めるボックスがフル若しくはニアフルの状態になっているレジの台数や、硬貨若しくは紙幣のあふれ券若しくはあふれ貨を収納するボックスがフル若しくはニアフルの状態になっているレジの台数は表示されるものの、どのレジなのかは表示されなかった。図１０（ｂ）のレジ状況一覧画面は、リジェクトされた紙幣を収めるボックスがフル若しくはニアフルの状態になっているレジ及び硬貨若しくは紙幣のあふれ券若しくはあふれ貨を収納するボックスがフル若しくはニアフルの状態になっているレジがどのレジなのを併せて表現した画面の別パターンの例である。
【０１１９】
図１０（a）とは状況欄の表示方法に差異があり、図１０（ｂ）の例では状況欄を左右方向に３分割して、３分割された左の欄を釣銭準備金の補充の要否の状況を表示する欄として、釣銭準備金の補充が必要な状況においては「補」が表示される。また、３分割された中央の欄をリジェクトされた紙幣を収めるボックスの状況を表示する欄として、リジェクトされた紙幣を収めるボックスがフル若しくはニアフルの状況においては「リ」が表示される。また、３分割された右の欄を硬貨若しくは紙幣のあふれ券若しくはあふれ貨を収納するボックスの状況を表示する欄として、硬貨若しくは紙幣のあふれ券若しくはあふれ貨を収納するボックスがフル若しくはニアフルの状況においては「あ」が表示される。図１０（ｂ）に示す画面の例では、３分割された状況欄のそれぞれの欄に「補」、「リ」又は「あ」を表示する場合には、白黒反転表示するものとしたが、「補」、「リ」又は「あ」を表示する場合には右の欄、中央の欄、左の欄で異なる背景色を使用するようにしてもよい。
【０１２０】
図１０（ｃ）の画面は、図１０（ａ）若しくは図１０（ｂ）の画面に配置される「詳細表示」ボタンの押下によって表示される詳細画面である。詳細画面は、図１０（ｃ）に示すように表形式でレジ番号に関連付けて、当該レジの設置されている売場、紙幣のリジェクトされた件数、リジェクトされた紙幣を収めるボックスの状況、紙幣のあふれ券を収納するボックスに収納したあふれ券枚数、紙幣のあふれ券を収納するボックスの状況、硬貨のあふれ貨を収納するボックスに収納したあふれ貨枚数、硬貨のあふれ貨を収納するボックスの状況、精査待ちか否かの状況及び当該レジに対応するレジ状態データ８３４ａのレコードを更新した時刻が表示される。
【０１２１】
リジェクトされた紙幣を収めるボックスの状況、紙幣のあふれ券を収納するボックスの状況及び硬貨のあふれ貨を収納するボックスの状況には、ボックスがフルの状況においては「フル」、ニアフルの状況においては「ニアフル」と表示され、フルでもニアフルでもない場合には何も表示されない。また、精査待ちか否かの状況には、精査待ちで有る場合には「＊」が表示される。
【０１２２】
また、詳細画面の下部には「一覧に戻る」ボタンと、「前ページ」ボタンと、「次ページ」ボタンが配置される。「一覧に戻る」ボタンが操作されると、図１０（ａ）若しくは図１０（ｂ）のレジ状況一覧画面に戻る。また、詳細画面は当日稼働したレジの台数が多い場合には複数ページに渡ることがあり、その場合には「前ページ」ボタン又は「次ページ」ボタンの操作によってページの表示を切り替えることができる。
【０１２３】
次に、図２に示した両替機５００の外観構成を説明する。図１１は、両替機５００の外観構成を示す図である。大型の店舗においては、釣銭準備金として多量の貨幣（特に、棒金や低額紙幣）を払い出す必要があることから、収納容量が大きい上、棒金の出金機能を有する両替機５００が、貨幣払出装置として利用されることがある。
【０１２４】
両替機５００の前面の上部の上端側に向かうに従って後側へ少し傾斜して延びる傾斜面のその幅方向略中央位置に、表示操作部５０１が設けられている。表示操作部５０１はタッチパネルを備えた液晶ディスプレイである。
【０１２５】
表示操作部５０１の下隣には、利用者に処理明細の記載されたレシートを発行するためのレシート発行口５１４ａと、利用者のカード等を出し入れするためのカード取扱口５０２ａとが左右に並んで設けられている。また、表示操作部５０１の右隣に、両替機５００であることを示す「両替」という識別表示が付されており、表示操作部５０１と「両替」の識別表示との間には、防犯用のカメラ５０４が埋め込まれている。また、カメラ５０４の下隣に、バラの硬貨を投入したり受け取ったりするための硬貨取扱口５１２ａが設けられている。硬貨取扱口５１２ａの下隣には、係員を呼び出すための呼出ボタン５１５と、両替機５００のメンテナンス等のために係員によって鍵が差し込まれる鍵穴５１６とが、左右に並んで設けられている。硬貨取扱口５１２ａは、バラ硬貨を投入したり受け取ったりするとき以外では、シャッタによって閉塞されている。また、表示操作部５０１の左隣にはレシートなどに印刷されたバーコードを読み込むバーコードリーダ５０３が設けられている。
【０１２６】
また、表示操作部５０１が設けられている傾斜面の下端部から装置の手前方向に伸びる略水平に伸びる水平面には、棒金を受け取るための棒金取扱口５１３ａと、紙幣を投入したり受け取ったりするための紙幣取扱口５１１ａとが左右に並んで設けられている。棒金取扱口５１３ａは、棒金を受け取るとき以外では、シャッタによって閉塞されている。紙幣取扱口５１１ａは、紙幣を投入したり受け取ったりするとき以外では、シャッタによって閉塞されている。
【０１２７】
また、棒金取扱口５１３ａ及び紙幣取扱口５１１ａが設けられた水平面から下方にほぼ垂直に伸びる垂直面には、両替機５００の前に人がいるか否かを検知するための人感センサ５０５が設けられている。
【０１２８】
次に、図２に示した両替機５００の実施例１に係る機能的な内部構成を説明する。図１２は、両替機５００の実施例１に係る機能的な内部構成を示すブロック図である。
【０１２９】
図１２に示すように、両替機５００は、表示操作部５０１、カードリーダライタ５０２、バーコードリーダ５０３、カメラ５０４、人感センサ５０５、紙幣部５１１、硬貨部５１２、棒金部５１３、プリンタ５１４、呼出ボタン５１５、鍵穴５１６、通信部５３２、記憶部５３４及び制御部５３０を備えている。カードリーダライタ５０２は、図１１に示したカード取扱口５０２ａから挿入されたカードの情報を読み取ったりカードに情報を書き込んだりする入出力部である。
【０１３０】
紙幣部５１１は、紙幣取扱口５１１ａに投入された紙幣の真偽及び正損の判定を行って、真券で正券と判定されたならば図示しない紙幣収納部２０６に投入された紙幣を収納する。また、紙幣部５１１は、払い出しの指示を受け付けたならば、紙幣収納部２０６から指定された金種別の枚数の紙幣を紙幣取扱口５１１ａに払い出す。硬貨部５１２は、硬貨取扱口５１２ａに投入された硬貨の真偽の判定を行って、真貨と判定されたならば図示しない硬貨収納部１０６に投入された硬貨を収納する。また、硬貨部５１２は、払い出しの指示を受け付けたならば、硬貨収納部１０６から指定された金種別の枚数の硬貨を硬貨取扱口５１２ａに払い出す。棒金部５１３は、棒金の払出の指示を受け付けたならば、図示しない棒金収納部から指定された金種別の本数の棒金を棒金取扱口５１３ａに払い出す。
【０１３１】
プリンタ５１４は、利用者に処理明細の記載されたレシートなどを印刷するための出力部であって、印刷されたレシートはレシート発行口５１４ａから排出され、利用者が受け取り可能となる。通信部５３２は、ＬＡＮなどの通信線９０を介して管理サーバ８００とデータ通信するためのインタフェース部である。
【０１３２】
記憶部５３４は、ハードディスク装置や不揮発性メモリ等からなる記憶デバイスである。記憶部５３４は、イベントデータ５３４ａ及び履歴データ５３４ｂを有している。
【０１３３】
イベントデータ５３４ａは、図９で示した管理サーバ８００のイベントデータ８３４ｄが配信されたものを記憶したデータである。履歴データ５３４ｂは、当該両替機５００で行われた両替処理や釣銭準備金の払出処理などの処理履歴を記録したデータである。データの形式は図９で示した後方機処理履歴データ８３４ｃと同じである。
【０１３４】
制御部５３０は、両替機５００の全体を制御する制御部であり、両替処理部５３０ａ、釣銭準備金払出部５３０ｂ及び履歴データ管理部５３０ｃを有する。実際には、これらの機能部に対応するプログラムを図示しないＲＯＭや不揮発性メモリに記憶しておき、これらのプログラムをＣＰＵ（Central Processing Unit）にロードして実行することにより、対応するプロセスを実行させることになる。
【０１３５】
両替処理部５３０ａは、紙幣及び硬貨の両替を行う処理部である。両替であるので受け入れる金額と払出す金額は同額であり、金種別枚数の構成を変更して払出を行うものである。
【０１３６】
釣銭準備金払出部５３０ｂは、払出先のＰＯＳレジスタ３００のレジ番号と払い出す金種別の貨幣の数量の指示を受け付けて、受け付けた内容に応じて紙幣部５１１、硬貨部５１２又は棒金部５１３より紙幣、バラの硬貨、棒金硬貨の払出を行う。また、釣銭準備金払出部５３０ｂは、ＰＯＳレジスタ３００の発行した釣銭準備金依頼レシートに印刷されたバーコードを読み取ることによって払出先のＰＯＳレジスタ３００のレジ番号と払い出す金種別の貨幣の数量の指示を受け付けることも可能である。また、釣銭準備金払出部５３０ｂは、指示に応じて釣銭準備金の払出が行われると、払出先のＰＯＳレジスタ３００のレジ番号と払い出した金種別の貨幣の数量の印刷された釣銭準備金払出レシートの発行を行う。
【０１３７】
履歴データ管理部５３０ｃは、両替処理や釣銭準備金払出処理によって履歴データ５３４ｂが更新されたならば、更新された内容を管理サーバ８００に送信する。管理サーバ８００は、両替処理や釣銭準備金払出処理による履歴データ５３４ｂの更新内容を受け付けたならば、受け付けた内容に基づいて後方機処理履歴データ８３４ｃの更新を行う。
【０１３８】
次に、図２に示したＰＯＳレジスタ３００及び両替機５００で発行される釣銭補充に係るレシートの印刷内容について図１３を用いて説明する。
【０１３９】
図１３（ａ）は、ＰＯＳレジスタ３００で釣銭準備金依頼レシートの発行操作によって発行された釣銭準備金依頼レシートの印字レイアウトの例である。図１３（ａ）に示すように釣銭準備金依頼レシートの１行目には、当該レシートが釣銭準備金依頼レシートであることを示す「釣銭準備金依頼」の文言と、当該レシートを発行したＰＯＳレジスタ３００で発行された他のレシートを識別することのできるレシート番号とが印刷される。
【０１４０】
２行目には、当該レシートの発行日及び発行時刻、３行目には店舗名と部門名、４行目にはレジ番号、５行目には当該レシート発行時のレジを操作していた担当者氏名が印刷される。また、６行目には依頼した釣銭準備金の数量を変更せずに払い出すことの指定である必須指定の有無が印刷される。また、７行目以降には釣銭準備金として払出を依頼する金種別の貨幣の数量と金種別の貨幣の数量に対応する金額とが印刷される。また、当該レシートの最下段には、レジ番号、必須指定の有無及び釣銭準備金として払出を依頼する金種別の貨幣の数量に係る情報を含むバーコードも印刷される。
【０１４１】
図１３（ａ）の釣銭準備金依頼レシートの印字例は、当該レシートのレシート番号が「０３０６」で、当該レシートが「２０１４／４／１０  １５：３０」に発行され、発行元のレジは「一番町店」の「食品部門」のレジ番号が「１０１」のＰＯＳレジスタ３００であって、当該釣銭準備金の依頼を行った担当者氏名が「鈴木花子」で、依頼した釣銭準備金の数量を変更せずに払い出すことの指定である必須指定は「無」であり、釣銭準備金の詳細な依頼内容は、５千円券が「１０枚」で「５０，０００円」分で、千円券が「４０枚」で「４０，０００円」分で、５００円貨の棒金が「１本」で「２５，０００円」分で、１００円貨の棒金が「２本」で「１０，０００円」分で、１０円貨の棒金が「２本」で「１，０００円」分で、５円貨の棒金が「１本」で「２５０円」分で、１円貨の棒金が「１本」で「５０円」分で、合計「１２６，３００円」分であることを示している。
【０１４２】
図１３（ｂ）は、両替機５００で釣銭準備金払出処理が行われたときに発行される釣銭準備金払出レシートの印字レイアウトの例である。
【０１４３】
図１３（ｂ）に示すように釣銭準備金払出レシートの１行目には、当該レシートが釣銭準備金払出レシートであることを示す「釣銭準備金払出」の文言と、当該レシートを発行した両替機５００で発行された他のレシートを識別することのできるレシート番号とが印刷される。２行目には、当該レシートの発行日及び発行時刻、３行目には釣銭準備金の払出を行った両替機５００の設置店舗名及び両替機５００の号機、５行目には釣銭準備金の依頼元の店舗名と部門名、６行目には依頼元のレジ番号が印刷される。また、７行目以降には釣銭準備金として払い出した金種別の貨幣の数量と金種別の貨幣の数量に対応する金額とが印刷される。また、当該レシートの最下段には、依頼元のレジ番号及び釣銭準備金として払い出された金種別の貨幣の数量に係る情報を含むバーコードも印刷される。
【０１４４】
図１３（ｂ）の釣銭準備金払出レシートの印字例は、当該レシートのレシート番号が「６７８９」で、当該レシートが「２０１４／４／１０  １５：４５」に発行され、釣銭準備金の払出を行ったのは「一番町店」の両替機５００の「０１」号機で、依頼元のレジは「一番町店」の「食品部門」のレジ番号が「１０１」のＰＯＳレジスタ３００であって、釣銭準備金として払い出した詳細な内容は、５千円券が「１０枚」で「５０，０００円」分で、千円券が「４０枚」で「４０，０００円」分で、５００円貨の棒金が「１本」で「２５，０００円」分で、１００円貨の棒金が「２本」で「１０，０００円」分で、１０円貨の棒金が「２本」で「１，０００円」分で、５円貨の棒金が「１本」で「２５０円」分で、１円貨の棒金が「１本」で「５０円」分で、合計「１２６，３００円」分であることを示している。
【０１４５】
次に、図２に示したＰＯＳレジスタ３００における釣銭準備金依頼レシートの発行処理の処理手順を説明する。図１４は、ＰＯＳレジスタ３００における釣銭準備金依頼レシートの発行処理の処理手順を示すフローチャートである。
【０１４６】
補充処理部３３０ｂは、釣銭準備金として補充を依頼する数量を算出する紙幣若しくは硬貨のいずれかの金種を選択する（ステップＳ１０１）。ステップＳ１０１で選択した金種に対する適正在高パラメータ３３４ｃの適正枚数から、在高データ３３４ａに基づく選択した金種に対する在高を減算した値が正の数であって（ステップＳ１０２；Ｙｅｓ）、ステップＳ１０１で選択した金種が紙幣である場合（ステップＳ１０３；Ｙｅｓ）には、補充処理部３３０ｂは、当該紙幣金種に対する補充依頼枚数を、選択した金種に対する適正在高パラメータ３３４ｃの適正枚数から在高データ３３４ａに基づく選択した金種に対する在高を減算した値とする（ステップＳ１０４）。
【０１４７】
また、ステップＳ１０１で選択した金種が硬貨である場合（ステップＳ１０３；Ｎｏ）には、補充処理部３３０ｂは、当該硬貨金種に対する棒金の補充依頼本数を、選択した金種に対する適正在高パラメータ３３４ｃの適正枚数から、在高データ３３４ａに基づく選択した金種に対する在高を減算した値を５０で割ることによって算出する（ステップＳ１０５）。ただし、ステップＳ１０５では、算出された値の小数点以下は切り捨てるものとする。尚、算出された値が１（本）に満たない小数である場合は、切り上げて１（本）と算出するようにしてもよい。
【０１４８】
補充する枚数又は補充する棒金の本数の算出が行われていない金種がある場合（ステップＳ１０６；Ｙｅｓ）には、ステップＳ１０１に戻る。また、ステップＳ１０１で選択した金種に対する適正在高パラメータ３３４ｃの適正枚数から、在高データ３３４ａに基づく選択した金種に対する在高を減算した値が０以下の場合（ステップＳ１０２；Ｎｏ）には、ステップＳ１０６に移行する。
【０１４９】
処理が行われていない金種がなくて（ステップＳ１０６；Ｎｏ）、ステップＳ１０４若しくはステップＳ１０５で紙幣及び硬貨の補充数量の算出処理において、ゼロではない補充数量が算出された補充が必要な金種があって（ステップＳ１０７；Ｙｅｓ）、釣銭準備金依頼レシートの発行操作で依頼した釣銭準備金の数量を変更せずに払い出すことの指定である必須指定が行われていた場合（ステップＳ１０８；Ｙｅｓ）には、補充処理部３３０ｂは、当該必須指定が「有」の内容を含む釣銭準備金依頼レシートの印刷処理を行って（ステップＳ１０９）、処理を終了する。また、釣銭準備金依頼レシートの発行操作で依頼した釣銭準備金の数量を変更せずに払い出すことの指定である必須指定が行われていなかった場合（ステップＳ１０８；Ｎｏ）には、補充処理部３３０ｂは、当該必須指定が「無」の内容を含む釣銭準備金依頼レシートの印刷処理を行って（ステップＳ１１０）、処理を終了する。
【０１５０】
また、ステップＳ１０４若しくはステップＳ１０５で紙幣及び硬貨の補充数量の算出処理において、ゼロではない補充数量が算出された補充が必要な金種がなかった場合（ステップＳ１０７；Ｎｏ）には、釣銭準備金依頼レシートの発行は行わずに処理を終了する。
【０１５１】
次に、ＰＯＳレジスタ３００で発行された釣銭準備金依頼レシートを用いて両替機５００で釣銭準備金の払出処理の処理手順を説明する。図１５は、ＰＯＳレジスタ３００で発行された釣銭準備金依頼レシートを用いて両替機５００で釣銭準備金の払出処理の処理手順を示すフローチャートである。
【０１５２】
現金バッグ１０のサイドポケットに入っているカードに印刷されたレジ番号の情報が含まれるバーコードが読み取られたならば（ステップＳ２０１；Ｙｅｓ）、釣銭準備金払出部５３０ｂは、読み取ったレジ番号を記憶する（ステップＳ２０２）。現金バッグ１０のサイドポケットに入っているカードのバーコードが読み取られていない場合（ステップＳ２０１；Ｎｏ）にはステップＳ２０１に戻ることによって現金バッグ１０のサイドポケットに入っているカードのバーコードの読み取りを待ち合わせる。
【０１５３】
次に、現金バッグ１０から取り出された釣銭準備金依頼レシートのバーコードが読み取られて（ステップＳ２０３；Ｙｅｓ）、当該バーコードから読み取った情報に含まれる依頼元のレジ番号がステップＳ２０２で記憶したレジ番号と一致しなかった場合（ステップＳ２０４；Ｎｏ）には、釣銭準備金払出部５３０ｂは、表示操作部５０１にその旨のエラーメッセージを表示して（ステップＳ２０５）、処理を終了する。現金バッグ１０から取り出された釣銭準備金依頼レシートのバーコードが読み取られていない場合（ステップＳ２０３；Ｎｏ）には、ステップＳ２０３に戻ることによって釣銭準備金依頼レシートのバーコードの読み取りを待ち合わせる。
【０１５４】
ステップＳ２０３でバーコードから読み取った情報に含まれる依頼元のレジ番号がステップＳ２０２で記憶したレジ番号と一致して（ステップＳ２０４；Ｙｅｓ）、ステップＳ２０３でバーコードから読み取った情報に含まれる依頼の釣銭準備金の数量を変更せずに払い出すことの指定である必須指定がある場合（ステップＳ２０６；Ｙｅｓ）には、釣銭準備金払出部５３０ｂは、ステップＳ２０３でバーコードから読み取った情報に含まれる釣銭準備金の金種別の払出指定数量に準じて貨幣の払い出しを行う（ステップＳ２０７）。
【０１５５】
また、釣銭準備金払出部５３０ｂは、ステップＳ２０７で払い出した釣銭準備金にかかる釣銭準備金払出レシートの印刷を行い（ステップＳ２０８）、釣銭準備金の払出処理に関する処理履歴を履歴データ５３４ｂに登録する（ステップＳ２０９）。履歴データ管理部５３０ｃは、ステップＳ２０９で登録した履歴データ５３４ｂへの追加レコードに係る情報を、管理サーバ８００に送信して（ステップＳ２１０）、処理を終了する。
【０１５６】
ステップＳ２０３でバーコードから読み取った情報に含まれる依頼の釣銭準備金の数量を変更せずに払い出すことの指定である必須指定がない場合（ステップＳ２０６；Ｎｏ）には、イベントデータ５３４ａを参照して、本日が特売日である場合（ステップＳ２１１；Ｙｅｓ）にはステップＳ２０７に移行する。また、本日が特売日でない場合（ステップ数２１１；Ｎｏ）であっても、依頼元のＰＯＳレジスタ３００が当日若しくは翌日に全回収を行う予定となっていなければ（ステップＳ２１２；Ｎｏ）、ステップＳ２０７に移行する。
【０１５７】
また、依頼元のＰＯＳレジスタ３００が当日若しくは翌日に全回収を行う予定となっている場合には（ステップＳ２１２；Ｙｅｓ）、ステップＳ２０３でバーコードから読み取った情報に含まれる依頼の釣銭準備金として払い出す数量を補正して（ステップＳ２１３）、ステップＳ２０７に移行する。通常、ＰＯＳレジスタ３００は、釣銭として使用する小額紙幣や硬貨は硬貨釣銭機１００、紙幣釣銭機２００及び棒金収納機４００に日を跨いで残置しているが、所定の間隔で硬貨釣銭機１００、紙幣釣銭機２００及び棒金収納機４００の残高を確認するために硬貨釣銭機１００、紙幣釣銭機２００及び棒金収納機４００に収納されている貨幣を全額回収して精査を行う運用をしている。そのため、当日若しくは翌日に全回収が予定されている場合には、釣銭準備金として依頼された払出数量を全回収が行われるまでの間をしのげるだけの数量に補正（ここでは削減）して払い出すことによって、必要以上に釣銭準備金を払い出さないようにして全回収の手間を削減させる効果がある。
【０１５８】
図１５で説明した釣銭準備金の払出処理における釣銭準備金として払い出す数量の補正については、レジ担当者からの必須指定がなくて、当日が特売日ではなくて、当日若しくは翌日が全回収の予定となっている場合に限って行うこととしているが、本発明はこれに限定されるものではない。例えば、特売日には、釣銭準備金を通常の１割増しで出金するようにしてもよい。更には、補正を行う他の条件を設けて、条件に応じて異なる補正を行うようにしても良い。また、補正を行う他の条件としては、釣銭準備金が依頼された時刻や、レジを扱う担当者の社員とパートを識別する属性などを利用するようにしてもよい。
【０１５９】
次に、図２に示したＰＯＳレジスタ３００（レジユニット）における釣銭準備金の補充処理の処理手順を説明する。図１６は、ＰＯＳレジスタ３００における釣銭準備金の補充処理の処理手順を示すフローチャートである。
【０１６０】
現金バッグ１０のサイドポケットに入っているカードに印刷されたレジ番号の情報が含まれるバーコードが読み取られたならば（ステップＳ３０１；Ｙｅｓ）、補充処理部３３０ｂは、読み取ったレジ番号を記憶する（ステップＳ３０２）。現金バッグ１０のサイドポケットに入っているカードのバーコードが読み取られていない場合（ステップＳ３０１；Ｎｏ）にはステップＳ３０１に戻ることによって現金バッグ１０のサイドポケットに入っているカードのバーコードの読み取りを待ち合わせる。
【０１６１】
次に、現金バッグ１０から取り出された釣銭準備金払出レシートのバーコードが読み取られて（ステップＳ３０３；Ｙｅｓ）、当該バーコードから読み取った情報に含まれる依頼元のレジ番号と、ステップＳ３０２で記憶したレジ番号と、自装置のレジ番号とが一致しなかった場合（ステップＳ３０４；Ｎｏ）には、補充処理部３３０ｂは、表示部３０２にその旨のエラーメッセージを表示して（ステップＳ３０５）、処理を終了する。現金バッグ１０から取り出された釣銭準備金払出レシートのバーコードが読み取られていない場合（ステップＳ３０３；Ｎｏ）には、ステップＳ３０３に戻ることによって釣銭準備金払出レシートのバーコードの読み取りを待ち合わせる。この状態で硬貨釣銭機１００や紙幣釣銭機２００に貨幣が投入されても機内に取り込まず、棒金収納機４００の棒金収納部４０１は開放されないものとする。
【０１６２】
ステップＳ３０３でバーコードから読み取った情報に含まれる依頼元のレジ番号と、ステップＳ３０２で記憶したレジ番号と、自装置のレジ番号とが一致した場合（ステップＳ３０４；Ｙｅｓ）には、補充処理部３３０ｂは、現金バッグ１０から取り出された釣銭準備金である紙幣及び棒金を受け付けて紙幣釣銭機２００及び棒金収納機４００の内部に収納する（ステップＳ３０６）。
【０１６３】
ステップＳ３０６で紙幣釣銭機２００及び棒金収納機４００の内部に収納した紙幣及び棒金の数量がステップＳ３０３でバーコードから読み取った釣銭補充金の金種別の数量と一致していない場合（ステップＳ３０７；Ｙｅｓ）には、補充処理部３３０ｂは、表示部３０２にその旨のメッセージを表示する（ステップＳ３０８）。このとき、メッセージに差分（金種および枚数）が含まれるようにしてもよい。
【０１６４】
ステップＳ３０６で紙幣釣銭機２００及び棒金収納機４００に収納した紙幣及び棒金の数量がステップＳ３０３でバーコードから読み取った釣銭補充金の金種別の数量と一致している場合（ステップＳ３０７；Ｎｏ）には、ステップＳ３０８をスキップしてステップＳ３０９に移行する。
【０１６５】
補充処理部３３０ｂは、ステップＳ３０６の釣銭準備金の収納処理によって収納された実績を紙幣釣銭機２００及び棒金収納機４００から受け付けて在高データ３３４ａの更新を行う（ステップＳ３０９）。また、履歴情報管理部３３０ａは取引履歴データ３３４ｂに釣銭準備金の補充の取引履歴を登録する（ステップＳ３１０）とともに、ステップＳ３１０で登録した取引履歴データ３３４ｂのレコードの情報及びステップＳ３０９で更新した在高データ３３４ａの更新内容をＰＯＳサーバ７００に送信して（ステップＳ３１１）、処理を終了する。
【０１６６】
上述してきたように、本実施例では、ＰＯＳレジスタ３００は、釣銭準備金として保有すべき適正な在高と、実際の在高とに基づいて補充すべき貨幣の金種別の数量を算出し、算出した結果が記載された釣銭準備金依頼レシートを出力し、両替機５００は、ＰＯＳレジスタ３００で出力した釣銭準備金依頼レシートから読み取った内容に基づいて貨幣の払出を行い、払い出した貨幣の金種別の数量と依頼元のレジの識別情報を含む釣銭準備金払出レシートの発行を行い、ＰＯＳレジスタ３００は、釣銭準備金払出レシートから読み取った依頼元のレジの識別情報が自装置の識別情報と一致していることを条件として、両替機５００で払い出された貨幣を補充するよう構成したので、貨幣処理装置である両替機５００から決済装置であるＰＯＳレジスタ３００の状況に応じて金種ごとに適切な数量の釣銭準備金を払い出して、払い出した釣銭準備金を対応する適正な決済装置に補充することができる。
【０１６７】
なお、上述の実施例１では、ＰＯＳレジスタ３００で釣銭準備金依頼レシートの発行をするものとしたが、本発明はこれに限定するものではない。例えば、管理サーバ８００に、ＰＯＳレジスタ３００の適正在高パラメータ３３４ｃの情報を保持させて、レジ状態データ８３４ａに基づいて、レジごとに釣銭準備金の払出が必要な状況か否かの判定を行い、釣銭準備金の払出が必要と判定されたレジについては、釣銭準備金依頼レシートに出力した情報のうち、レシート番号などの取得不可な情報を除いて管理サーバ８００で印刷するようにしてもよい。また、ＰＯＳレジスタ３００からレシート番号などのＰＯＳレジスタ３００でなければ取得することができない情報のみを受け付けて、他の情報は管理サーバ８００が有する情報に基づいて釣銭準備金依頼レシートに出力した情報と同等の情報を管理サーバ８００で印刷するようにしてもよい。
【実施例２】
【０１６８】
実施例１では、ＰＯＳレジスタ３００で釣銭準備金の払出を依頼する金種別の貨幣の数量の情報を算出して釣銭準備金依頼レシートに出力することから、釣銭準備金の払出を行う担当者は、まず売場のＰＯＳレジスタ３００の設置場所から釣銭準備金依頼レシートの入れられた現金バッグ１０を収集してバックオフィスに持ち込んで、両替機５００で釣銭準備金依頼レシートに基づいて払い出した釣銭準備金を現金バッグ１０に入れて依頼元のＰＯＳレジスタ３００に届ける必要があった。実施例２では、釣銭準備金依頼レシートという媒体の代替として釣銭準備金の払出を行う担当者の保持する携帯端末を使用して、ＰＯＳレジスタ３００からの釣銭準備金の払出依頼に係る金種別の貨幣の数量の情報を当該携帯端末に送信することによって、釣銭準備金の払出を行う担当者の物理的な移動距離を減らして作業の効率化を図る例について説明する。
【０１６９】
まず、ＰＯＳレジスタ１３００が管理サーバ１８００に送信した釣銭準備金払出要求に基づいて両替機５００から払い出された釣銭準備金をＰＯＳレジスタ１３００に付設される釣銭機に補充する実施例２に係る処理の概要について図１７を用いて説明する。
【０１７０】
ＰＯＳレジスタ１３００は、釣銭準備金の払出依頼に係る操作を受け付けたならば、釣銭準備金として保有すべき適正な在高と、実際の硬貨釣銭機１００、紙幣釣銭機２００及び棒金収納機４００の現金の在高とに基づいて補充すべき金種別の貨幣の数量を算出して、（ａ）に示すように、依頼元のレジ番号、算出した補充すべき貨幣の金種別の数量を含む釣銭準備金払出要求を管理サーバ１８００に送信する。
【０１７１】
釣銭準備金払出要求を受け付けた管理サーバ１８００は、（ｂ）に示すように受け付けた情報に基づいて釣銭準備金の払出を行う担当者の携帯端末２０に依頼元のレジ番号、補充すべき金種別の貨幣の数量の情報を送信する。（ｂ）で依頼元のレジ番号、補充すべき金種別の貨幣の数量の情報を受け付けた携帯端末２０は、受け付けた情報を人が認識可能な文字とバーコードで画面に表示する。釣銭準備金の払出を行う担当者は、依頼元のレジ番号、補充すべき金種別の貨幣の数量の情報が表示された携帯端末２０を（ｃ）に示すようにバックオフィスに持ち込んで、（ｄ）に示すように両替機５００のバーコードリーダ５０３で携帯端末２０の画面に表示されたバーコードを読み取らせる。
【０１７２】
両替機５００は、（ｄ）でバーコードから読み取った紙幣釣銭機２００に補充すべき紙幣の金種別枚数の情報と、棒金収納機４００に補充すべき硬貨の棒金の本数の情報とに基づいて、（ｅ）に示すように釣銭準備金の払出を行う。（ｆ）以降の処理につては、実施例１の図１で説明した（ｆ）以降の処理と同じなので説明は省略する。
【０１７３】
このように、実施例１ではＰＯＳレジスタ３００で印刷した釣銭準備金依頼レシートを使用して両替機５００で釣銭準備金の払出を行っていたが、実施例２ではＰＯＳレジスタ１３００から釣銭準備金の払出を行う担当者の保持する携帯端末２０に釣銭準備金依頼レシートに出力されたものと同じ情報を送信し、携帯端末２０では釣銭準備金依頼レシートに印刷された内容と同等の情報を画面に表示させて、両替機５００は携帯端末２０に表示された内容を読み取って釣銭準備金の払出を行うようにしたので、釣銭準備金の払出を行う担当者はＰＯＳレジスタ１３００から釣銭準備金依頼レシートの収集を行わなくとも釣銭準備金の払出処理が可能となり物理的な移動距離を減らすことによってよりさらに効率化を図ることが可能となった。
【０１７４】
次に、図１７に示したＰＯＳレジスタ１３００の実施例２に係る機能的な内部構成を説明する。図１８は、ＰＯＳレジスタ１３００の実施例２に係る機能的な内部構成を示すブロック図である。図１８に示すＰＯＳレジスタ１３００の構成要素のうち実施例１のＰＯＳレジスタ３００と同じ構成要素については同じ符号を付与し、異なる構成要素については異なる符号を付与した。図１８のＰＯＳレジスタ１３００の説明では、実施例１のＰＯＳレジスタ３００と同じ構成要素については説明を省略し、ＰＯＳレジスタ３００と異なる構成要素について主に説明するものとする。
【０１７５】
実施例１のＰＯＳレジスタ３００と異なる構成要素は、制御部３３０の補充処理部１３３０ｂだけである。補充処理部１３３０ｂは、釣銭準備金の補充が必要な状態なのか否かの判定処理、釣銭準備金の補充依頼数量の算出処理及び釣銭準備金払出レシートに基づいて払い出された釣銭準備金を紙幣釣銭機２００及び棒金収納機４００に補充する処理については実施例１のＰＯＳレジスタ３００の処理内容と同じである。
【０１７６】
実施例１の補充処理部３３０ｂは算出した釣銭準備金の補充依頼数量などの情報を釣銭準備金依頼レシートに出力していたが、補充処理部１３３０ｂは、算出した釣銭準備金の補充依頼数量などの情報を含む釣銭準備金払出要求を、ＰＯＳサーバ７００を経由して管理サーバ１８００に送信する。
【０１７７】
次に、図１７に示した管理サーバ１８００の実施例２に係る機能的な内部構成を説明する。図１９は、管理サーバ１８００の実施例２に係る機能的な内部構成を示すブロック図である。図１９に示す管理サーバ１８００の構成要素のうち実施例１の管理サーバ８００と同じ構成要素については同じ符号を付与し、異なる構成要素については異なる符号を付与した。図１９の管理サーバ１８００の説明では、実施例１の管理サーバ８００と同じ構成要素については説明を省略し、管理サーバ８００と異なる構成要素について主に説明するものとする。
【０１７８】
記憶部８３４には、実施例１の記憶部８３４と比較すると補充状況データ１８３４ｅが追加となっている。補充状況データ１８３４ｅは、ＰＯＳレジスタ１３００から受け付けた釣銭準備金払出要求に基づいて登録され、受け付けた釣銭準備金払出要求に対する両替機５００による払出処理の実施状況やＰＯＳレジスタ１３００における補充処理の実施状況が記録されるデータである。
【０１７９】
制御部８３０には、実施例１の制御部８３０と比較すると釣銭準備金払出要求受付部１８３０ｄと補充状況監視部１８３０ｅとが追加となっている。
【０１８０】
釣銭準備金払出要求受付部１８３０ｄは、ＰＯＳレジスタ１３００から釣銭準備金払出要求を受け付けて、受け付けた内容に基づいて補充状況データ１８３４ｅにレコードを追加する。また、釣銭準備金払出要求受付部１８３０ｄは、受け付けた釣銭準備金払出要求の内容を釣銭準備金の払出を行う担当者が保持する携帯端末２０に通信部８３２を介して送信する。
【０１８１】
補充状況監視部１８３０ｅは、ＰＯＳレジスタ１３００から受け付ける情報に基づいて更新されるＰＯＳレジ取引履歴データ８３４ｂ及び両替機５００などの後方機から受け付ける情報に基づいて更新される後方機処理履歴データ８３４ｃを監視して、既に受け付けた釣銭準備金払出要求に対する、釣銭準備金の払出処理及び払い出された釣銭準備金の紙幣釣銭機２００及び棒金収納機４００への補充処理を検知し、検知した内容に基づいて補充状況データ１８３４ｅを更新する。
【０１８２】
次に、図１９に示した管理サーバ１８００の実施例２に係るデータ構成について図２０を用いて説明する。
【０１８３】
補充状況データ１８３４ｅは、レジ番号と、状態と、釣銭準備金払出要求の受付日時と、釣銭準備金払出要求に対するレシート番号と、紙幣金種ごとの払出依頼枚数及び硬貨金種ごとの棒金の払出依頼本数と、要求の釣銭準備金の数量を変更せずに払い出すことの指定である必須指定の情報と、釣銭準備金の払出実施日付と、釣銭準備金払出レシートのレシート番号と、紙幣金種ごとの払出実施枚数及び硬貨金種ごとの棒金の払出実施本数と、ＰＯＳレジスタ１３００で払い出された釣銭準備金の補充実施日時と、補充処理時に受け付けた釣銭準備金払出レシートのレシート番号と、紙幣金種ごとの補充実施枚数及び硬貨金種ごとの棒金の補充実施本数とをレコードの保有項目とするデータである。補充状況データ１８３４ｅのレコードは、レジ番号及び釣銭準備金払出要求に対するレシート番号がキー情報となっており、当該キー情報でユニークに識別可能である。
【０１８４】
状態は、コード化されたデータであってＰＯＳレジスタ１３００から受け付けた釣銭準備金払出要求に対する処理の状態を示す情報であり、「１」はＰＯＳレジスタ１３００からの釣銭準備金払出要求を受け付けて当該補充状況データ１８３４ｅに登録済である要求受付済、「２」はＰＯＳレジスタ１３００から受け付けた釣銭準備金払出要求に基づいて携帯端末２０に受け付けた情報を送信済みである情報送信済、「３」はＰＯＳレジスタ１３００から受け付けた釣銭準備金払出要求に対応する釣銭準備金の払出が実施済である払出済、「４」はＰＯＳレジスタ１３００から受け付けた釣銭準備金払出要求に応じて払い出した釣銭準備金のＰＯＳレジスタ１３００への補充処理が完了している補充完了を示している。
【０１８５】
図２０の補充状況データ１８３４ｅの例は、レジ番号「１０１」のＰＯＳレジスタ１３００から送信された釣銭準備金払出要求に対する状態が「３」で両替機５００から払出済で、釣銭準備金払出要求の受付日時が「２０１４／４／１０  １８：３０」で、ＰＯＳレジスタ１３００で採番された釣銭準備金払出要求に対応するレシート番号が「０３４０」で、釣銭準備金払出要求に含まれていた内容が五千円券「１０」枚、千円券「１０」枚、５００円貨棒金「１」本、１００円貨棒金「３」本、１０円貨棒金「１」本、必須指定は「無」であることを示している。また、釣銭準備金払出要求に対する釣銭準備金の払出の実施日時が「２０１４／４／１０  １９：００」で、釣銭準備金の払出時に発行された釣銭準備金払出レシートのレシート番号が「６８０１」で、払い出された釣銭準備金が五千円券「１０」枚、千円券「１０」枚、５００円貨棒金「１」本、１００円貨棒金「３」本、１０円貨棒金「１」本であることを示している。また、状態が「３」の払出済であることから、補充実施日時以降の情報は未登録となっている。
【０１８６】
次に、図１７に示した携帯端末２０におけるＰＯＳレジスタ１３００からの釣銭準備金払出要求に係る情報を受け付けたときに表示する画面構成について図２１を用いて説明する。
【０１８７】
図２１に示すように、携帯端末２０の表示部の表示には、人が目で確認することができる文字で表わされる表示と、文字で表示された情報を含むバーコードの表示とが含まれる。図２１の表示は、実施例１の図１３（ａ）で示した釣銭準備金依頼レシートを代用するものである。文字で表示される情報は、図２１に示した画面の文字情報は釣銭準備金の払出を行う担当者が知るべき最低限の情報を表示した例であり、図１３（ａ）の釣銭準備金依頼レシートに印刷される項目と完全に一致していないが、図１３（ａ）で示した釣銭準備金依頼レシートと同じ項目を表示するものとしてもよい。携帯端末２０に表示されるバーコードについては図１３（ａ）の釣銭準備金依頼レシートに印刷されたバーコードと同じ情報を含む。
【０１８８】
図２１に示す携帯端末２０の画面表示例は、受け付けた釣銭準備金払出要求が、食品レジのレジ番号が「１０１」からの要求で、釣銭準備金払出要求の内容が五千円券「１０」枚、千円券「１０」枚、５００円貨棒金「１」本、１００円貨棒金「３」本、１０円貨棒金「１」本、必須指定は「無」であることを示している。画面下部に表示されるバーコードには少なくとも文字で表示された情報、必須指定の有無及び釣銭準備金払出要求に対応するＰＯＳレジスタ１３００のレシート番号が含まれる。
【０１８９】
次に、図１７に示した管理サーバ１８００の釣銭補充に係る監視処理の処理手順を説明する。図２２は、管理サーバ１８００の釣銭補充に係る監視処理の処理手順を示すフローチャートである。
【０１９０】
ＰＯＳレジスタ１３００からの釣銭準備金払出要求を受け付けたならば（ステップＳ４０１；Ｙｅｓ）、釣銭準備金払出要求受付部１８３０ｄは、受け付けた釣銭準備金払出要求に応じて補充状況データ１８３４ｅにレコードを追加して、追加したレコードに受け付けた釣銭準備金払出要求の内容を反映する（ステップＳ４０２）。具体的には、補充状況データ１８３４ｅの追加したレコードのレジ番号、釣銭準備金払出要求に対するレシート番号、金種別の払出依頼数量及び必須指定には、釣銭準備金払出要求に含まれる情報を登録し、状態には要求受付済であることを示す「１」を登録し、要求受付日時には釣銭準備金払出要求を受け付けた日時を登録する。
【０１９１】
釣銭準備金払出要求受付部１８３０ｄは、受け付けた釣銭準備金払出要求の情報を釣銭準備金の払出の担当者が保持する携帯端末２０に送信して、補充状況データ１８３４ｅの対応するレコードの状態を携帯端末２０に情報を送信済みであることを示す「２」に更新する（ステップＳ４０３）。
【０１９２】
次に、ステップＳ４０１で受け付けた釣銭準備金払出要求に対応する釣銭準備金払出処理の履歴を受け付けていなくて（ステップＳ４０４；Ｎｏ）、釣銭準備金払出要求を受け付けてから既に所定時間を経過していて（ステップＳ４０５；Ｙｅｓ）、釣銭準備金の払出処理の担当者に対する督促メッセージをまだ表示していない場合（ステップＳ４０６；Ｎｏ）には、補充状況監視部１８３０ｅは、釣銭準備金の払出処理の担当者の所持する携帯端末２０にステップＳ４０１で受け付けた釣銭準備金払出要求に対する釣銭準備金の払出処理の督促メッセージの表示を行って（ステップＳ４０７）、ステップＳ４０４に戻る。
【０１９３】
釣銭準備金払出要求を受け付けてからまだ所定時間を経過していない場合（ステップＳ４０５；Ｎｏ）や、釣銭準備金の払出処理の担当者に対する督促メッセージを既に表示済の場合（ステップＳ４０６；Ｙｅｓ）には、ステップＳ４０７の督促メッセージの表示処理は行わずにステップＳ４０４に戻る。
【０１９４】
ステップＳ４０１で受け付けた釣銭準備金払出要求に対応する釣銭準備金払出処理の履歴を受け付けた場合（ステップＳ４０４；Ｙｅｓ）には、補充状況監視部１８３０ｅは、受け付けた処理履歴データに基づいて補充状況データ１８３４ｅの更新を行う（ステップＳ４０８）。ステップＳ４０１で受け付けた釣銭準備金払出要求に対応する釣銭準備金払出処理の履歴どうかは、受け付けた履歴に含まれる受付レシート番号が、ステップＳ４０２で補充状況データ１８３４ｅの釣銭準備金払出要求に対するレシート番号に登録した番号と一致していることをもって判定する。また、受け付けた履歴に含まれる情報に基づいて、補充状況データ１８３４ｅの払出実施日時、発行釣銭準備金払出レシート番号及び金種別の払出数量の情報を更新し、状態を釣銭準備金が払出済であることを示す「３」に更新する。
【０１９５】
次に、ステップＳ４０４で受け付けた釣銭準備金の払出処理の履歴に含まれる釣銭準備金払出レシートのレシート番号に対応する補充処理の取引履歴を受け付けていなくて（ステップＳ４０９；Ｎｏ）、補充依頼データに登録された払出実施日時から既に所定時間を経過していて（ステップＳ４１０；Ｙｅｓ）、釣銭準備金の払出処理の担当者に対する確認メッセージをまだ表示していない場合（ステップＳ４１１；Ｎｏ）には、補充状況監視部１８３０ｅは、釣銭準備金の払出処理の担当者の所持する携帯端末２０に払出済みの釣銭準備金の紙幣釣銭機２００及び棒金収納機４００への補充に関する状況確認を促すメッセージの表示を行って（ステップＳ４１２）、ステップＳ４０９に戻る。
【０１９６】
補充依頼データに登録された払出実施日時からまだ所定時間を経過していない場合（ステップＳ４１０；Ｎｏ）や、釣銭準備金の払出処理の担当者への状況確認を促すメッセージを既に表示済の場合（ステップＳ４１１；Ｙｅｓ）には、ステップＳ４１２のメッセージの表示処理は行わずにステップＳ４０９に戻る。
【０１９７】
ステップＳ４０４で受け付けた釣銭準備金の払出処理の履歴に含まれる釣銭準備金払出レシートのレシート番号に対応する補充処理の取引履歴を受け付けた場合（ステップＳ４０９；Ｙｅｓ）には、補充状況監視部１８３０ｅは、受け付けた補充処理の取引履歴の内容に基づいて補充状況データ１８３４ｅの更新を行って（ステップＳ４１３）、処理を終了する。ステップＳ４０４で受け付けた釣銭準備金の払出処理の履歴に含まれる釣銭準備金払出レシートのレシート番号に対応する補充処理の取引履歴であるか否かは、補充処理の取引履歴に含まれるレシート番号が釣銭準備金払出レシートのレシート番号に一致することをもって判定する。また、受け付けた補充処理の取引履歴に含まれる情報に基づいて、補充状況データ１８３４ｅの補充実施日時、受付釣銭準備金払出レシート番号及び金種別の補充数量の情報を更新し、状態を釣銭準備金の補充完了を示す「４」に更新する。
【０１９８】
上述してきたように、実施例２では、実施例１でＰＯＳレジスタ３００の発行する釣銭準備金依頼レシートをもちいて釣銭準備金の払出に係る両替機５００への入力を行っていた部分を、釣銭準備金依頼レシートの代わりに釣銭準備金依頼レシートに印刷されていた情報を釣銭準備金の払出を行う担当者が保持する携帯端末２０に送信し、携帯端末２０で表示された釣銭準備金の払出要求に係る情報を用いて釣銭準備金の払出に係る両替機５００への入力を行って釣銭準備金の払出を行うようにし、管理サーバ１８００で釣銭準備金の払出要求の発生、対応する釣銭準備金の払出の実施及び払い出された釣銭準備金のＰＯＳレジスタ１３００への補充の実施を監視するよう構成したので、実施例１と同様に、貨幣処理装置から決済装置の状況に応じて金種ごとに適切な数量の釣銭準備金を払い出して、払い出した釣銭準備金を対応する適正な決済装置に補充することができるだけではなく、釣銭準備金の払出に係る作業を効率化するとともに、釣銭準備金払出要求に対する処理状況を適切に把握することができる。
【０１９９】
なお、上述の実施例２では、ＰＯＳレジスタ１３００からＰＯＳサーバ７００を経由して管理サーバ１８００に釣銭準備金払出要求を送信するものとしたが、本発明はこれに限定されるものではない。例えば、ＰＯＳレジスタ１３００の適正在高パラメータ３３４ｃを硬貨釣銭機１００に記憶させて、硬貨釣銭機１００の操作表示部１１２で釣銭準備金払出依頼の操作を受け付けたならば、ＰＯＳレジスタ１３００が送信した釣銭準備金払出要求と同様の情報を硬貨釣銭機１００から管理サーバ１８００に直接送信するようにしてもよい。
【０２００】
また、上述の実施例１及び実施例２では、硬貨釣銭機１００、紙幣釣銭機２００及び棒金収納機４００の在高や発生しているエラーのエラーコードなどの情報は、ＰＯＳレジスタ３００、１３００、ＰＯＳサーバ７００を経由して管理サーバ８００、１８００に送信されるものとしたが、本発明はこれに限定されない。例えば、硬貨釣銭機１００からＰＯＳレジスタ３００、１３００に送信している情報を、ＰＯＳレジスタ３００、１３００、ＰＯＳサーバ７００以外の装置を介して管理サーバ８００、１８００に送信するようにしてもよいし、硬貨釣銭機１００から管理サーバ８００、１８００に直接送信するようにしてもよい。
【０２０１】
また、上述の実施例１及び実施例２では、釣銭準備金依頼レシート、釣銭準備金払出レシート又は携帯端末２０への表示を用いて釣銭準備金の払出要求、払出処理及び払い出された釣銭準備金の補充処理を行うことを説明してきたが、本発明はこれに限定されるものではない。例えば、釣銭準備金依頼レシート、釣銭準備金払出レシート又は携帯端末２０へのバーコードの出力の代わりに、ＩＣカード等の記憶媒体に釣銭準備金依頼レシート、釣銭準備金払出レシート又は携帯端末２０に出力したバーコードに含まれる情報を出力するものとして、釣銭準備金依頼レシート、釣銭準備金払出レシート又は携帯端末２０の画面に出力されたバーコードを読み込むことによって情報を取得していたものを、ＩＣカードなどの記憶媒体に出力された情報を読み込むことによって情報を取得するようにしてもよい。
【０２０２】
また、上述の実施例１に係る釣銭準備金依頼レシート、釣銭準備金払出レシート若しくは携帯端末２０の画面にはバーコードが出力されると説明してきたが、本発明はバーコードに限定されるものではない。例えば、バーコードの代わりにＱＲコード（登録商標）などの二次元バーコードを出力するようにして、両替機５００及びＰＯＳレジスタ３００、１３００に二次元バーコードを読取可能な二次元バーコードリーダを接続して二次元バーコードを読み取るようにしてもよい。また、ＩＣカードや二次元バーコードを採用した場合に、金種別の貨幣数量の情報だけではなく、両替機５００に対する出金指示や、ＰＯＳレジスタ３００、１３００に対する収納指示に係る情報を持たせて、両替機５００及びＰＯＳレジスタ３００、１３００における操作を簡素化することによって、操作性を向上させるようにしてもよい。
【０２０３】
また、上述の実施例１及び実施例２では、バックオフィスに両替機５００及び売上入金機６００を設置するようにしたが、本発明はこれに限定されるものではない。中規模若しくは小規模の店舗においては両替機５００及び売上入金機６００に代えて、紙幣をリサイクル運用可能な売上入出金機を設置するようにしてもよい。両替機５００及び売上入金機６００に代えて売上入出金機を設置するようにすると、貨幣の収納容量は少なくなるものの、設置スペースが少なくて済む。
【０２０４】
また、上述の実施例１及び実施例２では、硬貨の釣銭準備金の払出は棒金単位としたが、バラ硬貨を払い出せるようにしてもよい。また、紙幣の釣銭準備金の払出数量は基準値と在高との差分としたが、例えば１０枚単位で切り上げ若しくは切り捨てを行った数量としてもよい。また、硬貨の釣銭準備金の払出数量は基準値と在高との差分を棒金の単位数である５０で除算した結果の小数点を切り捨てた数としたが、四捨五入や切り上げとしてもよい。また、除算した結果の少数をバラ硬貨枚数に換算してもよい。
【０２０５】
また、上述の実施例１及び実施例２では、釣銭準備金の払出の対象となる装置を売上金の決済装置であるレジとして説明してきたが、本発明はこれに限定されるものではない。例えば、電子マネーのチャージ機も、貨幣を受け付けて釣銭を払い出すということに関しては上述の実施例１及び実施例２で説明するレジと同様であることから、本発明に係る構成要素を搭載することにより本発明の内容を適用することが可能である。
【０２０６】
また、上述の実施例１及び実施例２で図示した各構成は機能概略的なものであり、必ずしも物理的に図示の構成であることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０２０７】
以上のように、本発明に係る貨幣管理システムは、貨幣処理装置から決済装置の状況に応じて金種ごとに適切な数量の釣銭準備金を払い出して、払い出した釣銭準備金を対応する適正な決済装置に補充することに適している。
【符号の説明】
【０２０８】
１０  現金バッグ
２０  携帯端末
９０  通信線
１００  硬貨釣銭機
１０１  硬貨識別部
１０３  入金搬送部
１０４  分岐部
１０６  硬貨収納部
１０８  出金搬送部
１１２  操作表示部
１１４  硬貨受入部
１１６  硬貨払出部
１３０、２３０、３３０、４３０、５３０、８３０  制御部
１３０ａ、２３０ａ  入出金処理部
１３０ｂ、２３０ｂ  補充処理部
１３０ｃ、２３０ｃ  回収処理部
１３２、２３２、３３２、４３２、５３２、８３２  通信部
１３４、２３４、３３４、４３４、５３４、８３４  記憶部
１３４ａ  硬貨在高データ
１３４ｂ、２３４ｂ  入出金履歴データ
２００  紙幣釣銭機
２０１  紙幣識別部
２０３ａ  周回搬送部
２０３ｂ  接続搬送部
２０４  出金リジェクト部
２０６  紙幣収納部
２０７  回収カセット
２１１  ステップ数
２１４  紙幣受入部
２１４ａ  紙幣受入口
２１６  紙幣払出部
２１６ａ  紙幣取出口
２３４ａ  紙幣在高データ
３００、１３００  ＰＯＳレジスタ
３０２、８０２  表示部
３０２ａ  追加表示部
３０４  操作部
３０６、５１４  プリンタ
３０８、５０３  バーコードリーダ
３１０  カードリーダ
３３０ａ  履歴情報管理部
３３０ｂ、１３３０ｂ  補充処理部
３３４ａ  在高データ
３３４ｂ  取引履歴データ
３３４ｃ  適正在高パラメータ
４００  棒金収納機
４０１  棒金収納部
４０２  ロック部
４３４ａ  棒金在高データ
５００  両替機
５０１  表示操作部
５０２  カードリーダライタ
５０２ａ  カード取扱口
５０４  カメラ
５０５  人感センサ
５１１  紙幣部
５１１ａ  紙幣取扱口
５１２  硬貨部
５１２ａ  硬貨取扱口
５１３  棒金部
５１３ａ  棒金取扱口
５１４ａ  レシート発行口
５１５  呼出ボタン
５１６  鍵穴
５３０ａ  両替処理部
５３０ｂ  釣銭準備金払出部
５３０ｃ  履歴データ管理部
５３４ａ、８３４ｄ  イベントデータ
５３４ｂ  履歴データ
６００  売上入金機
７００  ＰＯＳサーバ
８００、１８００  管理サーバ
８０１  入力部
８３０ａ  レジ状態管理部
８３０ｂ  履歴管理部
８３０ｃ  イベントデータ管理部
８３４ａ  レジ状態データ
８３４ｂ  ＰＯＳレジ取引履歴データ
８３４ｃ  後方機処理履歴データ
９００  管理端末
１８３０ｄ  釣銭準備金払出要求受付部
１８３０ｅ  補充状況監視部
１８３４ｅ  補充状況データ
【図１】
0006738389.tif 000002
【図２】
0006738389.tif 000003
【図３】
0006738389.tif 000004
【図４】
0006738389.tif 000005
【図５】
0006738389.tif 000006
【図６】
0006738389.tif 000007
【図７】
0006738389.tif 000008
【図８】
0006738389.tif 000009
【図９】
0006738389.tif 000010
【図１０】
0006738389.tif 000011
【図１１】
0006738389.tif 000012
【図１２】
0006738389.tif 000013
【図１３】
0006738389.tif 000014
【図１４】
0006738389.tif 000015
【図１５】
0006738389.tif 000016
【図１６】
0006738389.tif 000017
【図１７】
0006738389.tif 000018
【図１８】
0006738389.tif 000019
【図１９】
0006738389.tif 000020
【図２０】
0006738389.tif 000021
【図２１】
0006738389.tif 000022
【図２２】
0006738389.tif 000023